(57)【要約】【課題】【解決手段】昆虫を誘引するケミカル、又は防虫剤の流体が膜を通して拡散する自動温度調節機能付きシステム。添加剤又は選択的透過性膜の作用で広範囲の温度・湿度にわたって一定量のケミカルを供給する。本システムに透過性膜、不透過性膜、水和したケミカル、ウィック材、液体香料、液体燃料、触媒ヒーター、エネルギー変換器、視的標的、赤外線標的、捕獲システム、音響発生システム、電子部品、及び衣装を使うことができる。効果的かつ効率の良い防虫剤等の供給システム及び携帯ヒーターができる。【選択図】図１
2008539790.tif 000002
【特許請求の範囲】
【請求項１】
温度の変動により化学状態が変化し、液体ケミカルの拡散速度または蒸気圧を加減する成分を含む液体ケミカルを含み、かつ、透過性層を通して拡散により液体ケミカルを含む又は放出するための透過性層を有する容器からなる液体ケミカル供給システム。
【請求項２】
前記透過性層が、選択性透過性層を通して拡散により蒸気ケミカルを含む又は放出させる分子選択性透過性層からなる請求項１に記載の液体ケミカル供給システム。
【請求項３】
前記透過性層が、分子選択性透過性層を通して拡散により蒸気ケミカルを含む又は放出させる分子選択性透過性層からなる請求項１に記載の液体ケミカル供給システム。
【請求項４】
更に、三つかそれ以上のケミカルを含み、その三つかそれ以上のケミカルが相互作用で発熱を調節し一定の温度を保つ自動温度調節システムを含む請求項１に記載の液体ケミカル供給システム。
【請求項５】
更に、節足動物に作用するケミカルを含み、節足動物に作用するケミカルを透過性層を通して拡散により含む及び放出する透過性層を用いた節足動物による刺傷軽減システムを含む請求項１に記載の液体ケミカル供給システム。
【請求項６】
更に、節足動物に作用するケミカルを含み、節足動物に作用するケミカルを選択性透過性層を通して拡散により含む及び放出する分子選択性透過性層を用いた節足動物による刺傷軽減システムを含む請求項２に記載の液体ケミカル供給システム。
【請求項７】
更に、節足動物に作用するケミカルを含み、節足動物に作用するケミカルを分子選択性透過性層を通して拡散により含む及び放出する分子選択性透過性層を用いた節足動物による刺傷軽減システムを含む請求項２に記載の液体ケミカル供給システム。
【請求項８】
更に、体温、燃焼ヒーター又は触媒ヒーター又は燃料電池の熱源を含む請求項５に記載のシステム。
【請求項９】
更に、発熱するエネルギー源を含む請求項５に記載のシステム。
【請求項１０】
前記膜を通して拡散により放出される節足動物に作用するケミカルが昆虫を誘引し昆虫の化学センサーを無効にする放出気体であり、片方に不透過性層がある容器を含む請求項５に記載のシステム。
【請求項１１】
前記容器が、更に、使用前にケミカルを含むための不透過性膜を含む請求項５に記載のシステム。
【請求項１２】
前記容器が、更に、ケミカルを含むために選択性透過膜及び不透過性膜を含む節足動物による刺傷軽減システムからなる請求項６に記載の液体ケミカル供給システム。
【請求項１３】
恒温動物の目及び目の周囲の組織の特徴を持つ電磁気放射源を有する容器からなる節足動物による刺傷軽減システム。
【請求項１４】
更に、暗色の中心部と赤と黄色の縁からなる目に似たはっきりとした形状を用いた節足動物の誘引体又は捕獲器又はおとりからなる請求項１３に記載の節足動物による刺傷軽減システム。
【請求項１５】
更に、液体ケミカルに含まれる温度の変動により化学状態が変化し、液体ケミカルの拡散速度または蒸気圧を加減する成分の温度を調整する共通の燃料が供給された燃料電池及び触媒ヒーターからなる請求項１に記載のシステム。
【請求項１６】
二酸化炭素、アルコール類、炭化水素の透過性が高く、水の透過性が低い分子選択透過性の分子選択性透過層を有する請求項３に記載の蒸気ケミカル供給システム。
【請求項１７】
Ｎ，Ｎ−ジエチルメタトルアミド（ＤＥＥＴ）の透過性が高く、水の透過性が低い分子選択透過性の分子選択性透過層を有する請求項３に記載の蒸気ケミカル供給システム。
【請求項１８】
前記透過性層がシリコーンゴムからなる請求項１に記載の蒸気ケミカル供給システム。
【請求項１９】
更に、前記膜を通して供給されるケミカルが反応物質としてエネルギー変換システムにエネルギーを与え、蒸気圧の温度調整又は拡散の制御により調温制御を可能とする請求項１に記載のシステム。
【請求項２０】
前記透過性膜を通して供給されるケミカルが発熱のためにヒーターの反応物質として使用され、蒸気圧又は拡散の温度調節により熱的制御を実施する請求項１に記載のシステム。
【請求項２１】
前記透過性膜を通して供給されるケミカルが発熱のためにヒーターの反応物質として使用され、蒸気圧又は拡散の温度調節により熱的制御を実施し節足動物の誘引標的となる請求項１に記載のシステム。
【請求項２２】
前記透過性膜を通して供給されるケミカルが発熱のためにヒーターの反応物質として使用され、流体の蒸気圧又は拡散速度の温度調節により熱的制御を実施し、人間又は動物に接触し治療効果を有する請求項１に記載のシステム。
【請求項２３】
前記供給されるケミカルが発熱のためにヒーターの反応物質として使用され、蒸気圧又は流体拡散の温度調節により熱的制御を実施し、治療薬、ウイルス、細菌、血清、抗菌剤、抗ウイルス剤、又はケミカルを皮膚接触又は経皮アンプルにより供給する請求項１に記載のシステム。
【請求項２４】
前記拡散するケミカルが空気中の酸素により触媒燃焼される請求項１に記載のシステム。
【請求項２５】
前記供給されるケミカルが発熱のために燃料電池の反応物質として使用され、蒸気圧又は流体拡散の温度調節により熱的制御を実施し、人間又は動物に接触し治療効果を有する請求項１に記載のシステム。
【請求項２６】
更に、ヒーター及び／又は燃料電池を含み、ヒーター及び／又は燃料電池が前記透過性層から拡散するケミカル（水素、水、メタノール、ジメチルエーテル、エタノール、ギ酸、又はホルムアルデヒド）を受け、空気中の酸素を利用する請求項１に記載のシステム。
【請求項２７】
更に、発電及び／又は機械的動作のために熱エネルギー変換装置に熱的に結合するヒーターを有する請求項１に記載のシステム。
【請求項２８】
発電又は機械的動作のためにヒーターが熱電対列に熱的に結合した請求項２７に記載のシステム。
【請求項２９】
更に供給蒸気ケミカル又は拡散流体が触媒ヒーターで熱、香り及び二酸化炭素を発生し誘引する赤外線標的を設ける節足動物誘引システムの一部として使用され、更に機械的捕獲器及び／又は感電死システム及び／又は発光システムを含み、機械的捕獲器、感電死システム又は発光システムを制御し、動力を与えることにより視的標的を設ける光電池及び蓄電手段を含む請求項５に記載のシステム。
【請求項３０】
供給蒸気ケミカル又は拡散流体が、香料を発生させ、狂わせる赤外線の標的及び／又は視的標的を与えるために、人間又は動物に取り付けるアンプル形式の節足動物妨害システムの一部として使用される請求項５に記載のシステム。
【請求項３１】
供給蒸気ケミカル又は拡散流体が、香料と熱を発生させ、狂わせる赤外線の標的及び／又は視的標的を与えるために、人間又は動物に取り付けるアンプル形式の節足動物妨害システムの一部として使用される請求項５に記載のシステム。
【請求項３２】
供給蒸気ケミカル又は拡散流体が、香料と熱を発生させ、狂わせる赤外線標的及び／又は視的標的を与えるために、人間又は動物に取り付けるアンプル形式の節足動物妨害システムの一部として使用され、人間とアンプルの間に拡散を防止するバリヤーが設置される請求項５に記載のシステム。
【請求項３３】
空気側の透過層及び人間・動物の皮膚に接触する低透過層を有する、供給される蒸気ケミカル又は拡散する液体ケミカルとして水素、水、メタノール、ジメチルエーテル、エタノール、ギ酸、ホルムアルデヒド、Ｎ，Ｎ−ジエチル−３−メチルベンザミド（ＤＥＥＴ）又はオクタノールを含むアンプルはアンプル形式の節足動物妨害システムの一部として使用され、人間又は動物に取り付けたアンプルが香料を放出させ、昆虫を狂わせる赤外線標的又は動物の目に似た視的標的を有する請求項５に記載のシステム。
【請求項３４】
空気側の透過層及び人間・動物の皮膚に接触する低透過層を有する、供給される蒸気ケミカル又は拡散する液体ケミカルとして水素、水、メタノール、ジメチルエーテル、エタノール、ギ酸、ホルムアルデヒド、Ｎ，Ｎ−ジエチル−３−メチルベンザミド（ＤＥＥＴ）又はオクタノールを含むアンプルはアンプル形式の節足動物妨害システムの一部として使用され、人間又は動物に取り付けたアンプルが香料を放出させ、白金を担持したアルミナビーズやケイ酸アルミナ繊維を使った触媒ヒーターで熱を発生し、昆虫を狂わせる赤外線標的又は動物の目に似た視的標的を有する請求項５に記載のシステム。
【請求項３５】
メタノール、ジメチルエーテル、エタノール、ギ酸、アセトン、ホルムアルデヒド、Ｎ，Ｎ−ジエチル−３−メチルベンザミド（ＤＥＥＴ）、葉酸、乳酸、シトロネラ、香料、糖類、4-メチフェノール、ピレテリン又はオクタノールが吸水ケミカルである硫酸ナトリウムと一緒に含まれる透過性膜アンプルは、ケミカルが透過性膜から白金を担持したアルミナビーズやケイ酸アルミナ繊維を使った触媒ヒーターに拡散し、空気も触媒ヒーターに拡散し、触媒ヒーターから生成される二酸化炭素と水分が拡散し、その生成物が酸化チタン、又はペルフルオロスルホン酸、又はスルホン化ブチルゴム、又はポリスチレンのコーティングで作製した動物の目と目の周辺に似た視的標的と一緒に昆虫を誘引する赤外線標的を有する節足動物妨害又は捕獲システムの一部として使用される請求項５に記載のシステム。
【請求項３６】
更に、回転する多孔性ヘリックス、又は吸出し扇風機、又は感電死格子からなる捕獲機構を含む請求項３１に記載のシステム。
【請求項３７】
捕獲機構が光電池、バッテリー、電源供給ライン、燃料電池、又は熱力学エンジンにより作動する請求項３６に記載のシステム。
【請求項３８】
節足動物の摂食条件を確認できた時のみ、センサーが光電池、又はバッテリー、又は購入電力、又は燃料電池、又は熱力学エンジンを電源として使用する捕獲器の稼動を開始する請求項３６に記載のシステム。
【請求項３９】
容器の片側に、ケミカルに対して透過性が低い層がある請求項３に記載のシステム。
【請求項４０】
ケミカルを供給して生じる化学反応、又は燃焼ヒーター、又は触媒ヒーター、又は燃料電池を含み、あるいはケミカルを供給して化学反応、又は燃焼ヒーター又は触媒ヒーターを稼動させる請求項３に記載のシステム。
【請求項４１】
供給された一種以上のケミカルが昆虫を追い払う請求項３に記載のシステム。
【請求項４２】
供給された一種以上のケミカルが二酸化炭素を発生させる請求項３に記載のシステム。
【請求項４３】
燃料である供給ケミカルが昆虫を誘引するために燃焼により二酸化炭素を発生させる請求項３に記載のシステム。
【請求項４４】
燃料である供給ケミカルが触媒燃焼、又は電気化学的に、又は他のケミカルとの反応により二酸化炭素を発生させる請求項３に記載のシステム。
【請求項４５】
膜を通して拡散する酢酸又はギ酸が重炭酸ナトリウム又は炭酸カルシウムと反応することにより二酸化炭素を発生させる請求項３に記載のシステム。
【請求項４６】
透過性膜を通して拡散するケミカルが昆虫を誘引する請求項３に記載のシステム。
【請求項４７】
透過性膜を通して拡散するケミカルが節足動物を誘引してから節足動物のセンサーを妨害する請求項３に記載のシステム。
【請求項４８】
透過性膜を通して拡散するケミカルが節足動物を誘引し、節足動物のケミカルセンサーを妨害し、節足動物を追い払う請求項３に記載のシステム。
【請求項４９】
透過性膜を通して拡散するケミカルが節足動物を誘引し、節足動物のケミカルセンサーを妨害し、節足動物を追い払う請求項３に記載のシステム。
【請求項５０】
透過性膜を通して拡散するケミカルが節足動物を誘引し、節足動物のケミカルセンサーを妨害し、光又は音響で節足動物を捕獲器又はおとりに導く請求項３に記載のシステム。
【請求項５１】
透過性膜を通して拡散するケミカルが節足動物を誘引し、節足動物のケミカルセンサーを妨害し、光又は音響で節足動物を追い払う請求項３に記載のシステム。
【請求項５２】
表面コーティングで作製した視的標的が動物の目及び皮膚と同様な赤外線を放射する請求項２に記載のシステム。
【請求項５３】
固体ポリマー電解質、又は水、又は塩水、又は二酸化チタンの表面コーティングで作製した視的標的が動物の目及び皮膚と同様な赤外線を放射する請求項２に記載のシステム。
【請求項５４】
透過性膜の露出した表面が動物の目と皮膚と同様な赤外線を放射する請求項３のシステム。
【請求項５５】
装置のカバーが汗及び汗に含まれるケミカルを吸い取るウィック材である請求項３に記載のシステム。
【請求項５６】
節足動物を誘引する装置、又は捕獲器、又はおとりが黒の点と赤と黄色の縁が目の独特なパターンとなる請求項３に記載のシステム。
【請求項５７】
節足動物を誘引する装置、又は捕獲器、又はおとりが黒の点と赤と黄色の縁が目の独特なパターンとなる請求項３に記載のシステム。
【請求項５８】
更に、節足動物を誘引するために節足動物を誘引する装置、又は捕獲器、又はおとりにはっきりと空間的に定義された赤外線を放射する部分がある請求項３に記載のシステム。
【請求項５９】
更に、節足動物を誘引する装置、又は捕獲器、又はおとりに周囲の温度より高く加熱され、誘引ケミカル及びケミカルセンサーを妨害するケミカルを放出するはっきりと空間的に定義された赤外線を放射する部分がある請求項３に記載のシステム。
【請求項６０】
更に、透過層から放出されるケミカルで稼動する節足動物を誘引する装置、又は捕獲器、又はおとり、又は追い払う装置からなる請求項３に記載のシステム。
【請求項６１】
更に、ケミカルが木製アンプルに含まれる節足動物を誘引する装置、又は捕獲器、又はおとり、又は追い払う装置からなる請求項３に記載のシステム。
【請求項６２】
視的標的を昆虫を誘引する温度に保ち、二酸化炭素及び香料を発生させる触媒ヒーター又は燃料電池及び節足動物誘引システムからなる請求項５２に記載のシステム。
【請求項６３】
更に、熱、香料、二酸化炭素を発生し、誘引する赤外線標的となる触媒ヒーター、及び節足動物誘引システム、及び機械的捕獲器、又は感電死システム、又は発光システムを稼動しシステムを制御する太陽電池及び蓄電装置からなる請求項３に記載のシステム。
【請求項６４】
更に、節足動物の摂食条件を最適に満たす時のみ装置を稼動させる蓄電装置に接続されたセンサーを含む請求項６３に記載のシステム。
【請求項６５】
更に、節足動物を捕獲し殺す回転する多孔性ヘリックスからなる節足動物の誘引装置・機械的捕獲器を含む請求項６３に記載のシステム。
【請求項６６】
更に、エネルギー変換装置、燃料電池、熱電対列、光電池、バッテリー、購入電力、又は熱力学エンジンからなる節足動物を捕獲し殺す回転する多孔性ヘリックスを含む請求項６５に記載のシステム。
【請求項６７】
更に燃料電池、熱電対列、光電池、バッテリー、購入電力、又は熱力学エンジンが換気ポンプを稼動させる節足動物誘引システムからなる請求項６３に記載のシステム。
【請求項６８】
エネルギー変換装置が一つ以上の拡散するケミカルを使って二酸化炭素を発生させる、換気ポンプを使用する節足動物捕獲システムである請求項６７に記載のシステム。
【発明の詳細な説明】
【技術分野】
【０００１】
本願は２００５年５月１８日提出の米国特許出願第６０/６８２，２９３号の権利を主張し、その全体が参照により組み込まれるものである。
【背景技術】
【０００２】
昆虫、蚊、ツツガムシ、ハエ、ノミ、ダニ等の節足動物を誘引する、又は追い払う、又は捕獲するシステムは通常、節足動物の獲物探し・獲物特定・危険回避の行動パターンを利用する。特に蚊には獲物を特定し、危険を回避するために幅広い手段や行動パターンがある。
【０００３】
蚊は遠くから二酸化炭素の排出及び湿気を感知できる。蚊を誘引するオクタノールや乳酸等の５０種類以上のケミカルは蚊に獲物の化学的手がかりとして利用されると思われてきた。蚊は獲物の暖かい表面を感知できる。冷たい面と暖かい面を区別し、獲物の通常の体温と違うものを避ける。対比色、有色面、赤外線を含む光に誘引される。音や動きに誘引され、閃光、音、振動、風に戸惑うことも報告されている。
【０００４】
Ｎ，Ｎ−ジエチル−３−メチルベンザミド（ＤＥＥＴ）等の一般的な防虫剤は殆どの場合、単に蚊の感知作用を妨げ、二酸化炭素やその他の臭いの追跡を妨害する。皮膚の表面に塗布した又は皮膚に吸収されたＤＥＥＴ等のケミカルが節足動物や昆虫に刺され注入された寄生動物を殺すという証拠もいくつかある。しかし、ＤＥＥＴや雑音を利用する防虫システムは最終的に蚊に刺されることを防げない。皮膚に塗布されるＤＥＥＴの５．６％〜１５％は皮膚を通して使用者の血流に吸収される。
【０００５】
防虫剤は主に麻酔作用を持つ。食べたり、開いた傷口に塗布したりしてはいけない。過剰な局所塗布は死に至ることもある。
【発明の開示】
【０００６】
国際公開第ＷＯ０３/０３１８７４号公報（ホカデイ、「膜を使用する触媒ヒーター」）をはじめ、上記の特許の全体は参照により本願に組み込まれる。
【０００７】
（蚊の行動）
蚊の摂食条件は、特定の温度範囲内で風が少ない場所で夜明けと夕暮れに摂食するということである。火の煙や極端に熱い表面を避け、冷たい表面を無視する。メタノール等植物から排出されるケミカルも無視する。
【０００８】
蚊がＤＥＥＴ等の防虫剤を皮膚に新しく塗布した人間を、特定率は低くなるが、探知、追跡し特定できることが研究で分かった。防虫剤アンプルを使うと、蚊がまっすぐアンプルの方に飛んで、布の赤・黄色・黒の部分の間に止まるという思いがけない行動が見られる。この行動は、獲物に近付いた蚊が二酸化炭素の排出や臭いで獲物を追跡することを止め、赤外線や視光を使って獲物に迫ることを示唆する。
【０００９】
この行動の考えられる解釈としては、自然な環境で蚊の主な獲物は羽を持つ鳥類及び毛皮を持つ哺乳類であることがある。血管を刺しやすい露出肌は主に鼻や目の周辺にある。それ以外の皮膚は羽、毛皮、プレート、又は厚い皮に覆われている。鼻の周辺は皮膚が厚いこともあり、呼吸の動作で止まりにくくなり、吸い込まれる恐れもあるから、目の縁は特に魅力的な標的となる。目の中心は血管がないし、まぶたの速い反応で追い払われるから標的として不適切である。従って、血管を狙う昆虫にとって目と毛皮や羽の間のいわゆるピンク色の結膜が標的となると思われる。よって、効率的に血管を捜すために、昆虫は目の縁に迫ると思われる。
【００１０】
環境の中で動物の目ははっきりと目立つ。目は動物の体温に近い温度であるし、湿っていて、暗色の中心部、色付き虹彩、白い縁、色付き又はピンク色のまぶたあるいは縁があり、その周りに毛皮、うろこ、又は羽がある。目は水、あるいは３６℃の血液のスペクトルと同様な赤外線スペクトルを放射すると思われる。そして動物の多くの化学的痕跡もその薄い肌、又は膜から排出される。また、目は定期的に動く。この動きは蚊にとって獲物のはっきりした視的手がかりになる可能性もある。本発明では、予期されるこの目を標的とする行動を利用し、目に似た、あるいは目の特徴を持つ、昆虫を誘引するおとりを設ける。
【００１１】
（蚊の一連の標的）
予期される蚊の標的シーケンスは、まず、上昇した二酸化炭素又は化学的臭いを感知することにより活性化される。そして蚊が立ち昇るケミカルの濃度勾配に向かって飛ぶ。さらに、定期的に吹かれる二酸化炭素や代謝産物で標的が植物ではなく、動物であることを確認できる。近付いたときに昆虫の目、又は赤外線センサーが目又はその他の適切な温度範囲や放出物を有する表面を感知し、蚊がそれに向かって飛んでいく。金属等の非動物の表面は動物の体温と同じ温度になることもあるが、目のような湿った表面が発する光スペクトルはない。獲物の周りで飛んでいる他のメスの蚊の音（５００ヘルツ）で獲物の居場所を特定する。目に近づくと、蚊は目の縁、特に対比色部分及びピンク色の結膜を狙う。
【００１２】
（蚊の誘引における革新）
本発明の革新的な点の一つは、近付いてきた蚊の化学的センサーを妨害する量のケミカルを発生するおとりである。センサーを妨害された蚊は視覚的手がかりのみを使うので、人間の肌に止まらないで、無駄にもおとりに止まることになる。おとりは電気パルス、レーザーパルス、接触する殺虫剤、膜内の殺虫剤、気化した殺虫剤、又は捕獲器において蚊を殺すことも可能である。蚊がおとりに近付いて止まること、あるいはおとりから液体を吸い取ることにより最大量のセンサーを妨害するケミカル又は毒物を摂取する。おとりから蚊にしか害を与えない微生物やウィルスを与えることも可能である。
【００１３】
閃光で蚊の光センサーに過負荷を与えることにより、蚊を失明させて、あるいは標的から逃げさせて、再び視覚的手がかりを使った攻撃を防ぐことができる。蚊の口や消化器に害を与える化学物質をおとりに塗ったり、おとりに充填したりすることにより刺すことを防ぐ可能性もある。通常、近付いてきた蚊のセンサーをケミカルで妨害する戦略は、獲物にたどり着くことを防ぐには不充分である。
【００１４】
代わりの獲物を見つけられなくするように、蚊を十分に、また定期的に離れさせることに有効なことであろう。これは、空気の吹きつけ及び閃光や雑音で達成することができる。殺虫剤の吹きつけ、殺虫菊やペルメトリン殺虫剤等のコーティング、粘着シート、電気パルス、又はアンプル入り殺虫剤で蚊を殺すこともできる。
【００１５】
繰り返しておとりを攻撃させたら、二次標的として人間を襲う恐れもあるので、食欲を満たすケミカルを供給する、あるいは被害者の急な動きを模擬し蚊を追い払う戦略もある。これらの例としてシトロネラやグルコース（食欲作用物質）、音、空気の吹きつけ、小さな閃光等がある。強力な赤外線フラッシュが光センサーに過負荷を与え、一時的、あるいは不可逆的に失明させる可能性もある。
【００１６】
閃光には瞬間的に昼間だと思わせ、獲物探しを中断させる効果がある可能性もある。センサーの妨害やおとりとともに、使用者が低放射率で誘引しない、湿った表面の赤外線スペクトルを有しない乾いた衣装を着ることでおとりの誘引力を強調できることも述べる必要がある。
【００１７】
現時点でセンサーを妨害するために最も有効なケミカルであるＤＥＥＴは定期的かつ局所的に投与すると人体に害を与えないことが文献調査で分かる。但し、一般に皮膚に塗布すると６〜１５％が皮膚に吸収される。子供の皮膚には低濃度でＤＥＥＴを塗布することが勧められる。最高投与量のＤＥＥＴは約８時間皮膚に残る。つまり、連続的な効果を得るために高濃度のＤＥＥＴを８時間毎に塗布しなおす必要がある。ＤＥＥＴは洗い落とすこともできる。低濃度の場合は、塗布頻度が高くなる。
【００１８】
ＤＥＥＴの塗布には蚊を追い払う効果はない。化学的センサーを妨害するだけであるので、最も近い蚊が化学的手がかりを用いずに他の手がかりを使って獲物を特定することを防げない。燃焼により二酸化炭素を発生する燃料、又は燃料電池を防虫剤アンプルに加えることができる。ヒート・エンジン又は熱電装置の燃焼、あるいは燃料電池の電気化学的作用で発生する電気は電子部品、機械、扇風機等の電源として使用できる。電子部品で昆虫を誘引する、又は乱す、又は追い払う光源、又は音源を駆動することも可能である。扇風機と機械で蚊を捕獲することができる。電池、購入電力、太陽電池、風力等も電子部品の電源として使用できる。
【００１９】
本発明はリストバンド、アンクルバンド、帽子、ネックストラップ、又は衣服の一部にすることができる。独立型の誘引装置や捕獲装置、又は蚊を入れたくない場所の周辺に設置する、蚊に障害を与えるシステム等も可能である。独立型システムの熱源、二酸化炭素源には触媒ヒーター、バッテリー、電気ヒーター、燃料電池、太陽の光で加熱された表面、又は太陽の光で加熱された熱質量等がある。
【００２０】
本発明は昆虫を誘引する、又は昆虫のセンサーを妨害する化合物を含む透過性膜及びいくつもの色付き表面、赤外線を発射する表面、対比色の表面又は体温やヒーターの組み合わせからなる蚊刺防止システムである。外気に面する透過性膜及び人体に面する不透過性膜で封入するとケミカルが肌に接触しないし、システムの内部に浸入しない。
【００２１】
触媒ヒーター、燃料電池、熱電気装置、バッテリー、電子センサー、捕獲器、扇風機、化学ルミネセンス光源、発光ダイオード、音響発生器等の技術を本システムと一体化することも可能である。ケミカルを外部に拡散させ、水分を内部に入れない選択的透過性膜を使うと湿度が極めて高い環境でも一定量のケミカルを供給できる。
【００２２】
膜を透過せず、拡散するケミカルに溶解しない吸水性ケミカルは内部に拡散してくる水を吸収することにより拡散するケミカルの蒸気圧を安定化させる。膜によるケミカルの供給システムで触媒ヒーター燃料を供給したり、二酸化炭素を発生したり、昆虫を誘引する温度範囲を保ったりすることもできる。
【００２３】
ポンプ等の能動的制御、又は燃料の沸騰で膜表面から燃料を除去させることにより触媒ヒーターの温度を制御できる。高温で燃料を透過させない膜による温度制御も可能である。
【００２４】
膜を通して防虫剤を供給すると、供給量はケミカルの蒸気圧曲線に沿うことが分かった。温度が上がると急激に増加するので、高温で過剰に供給したり低温で供給効率が低下したりすることがある。従って、アンプルの放熱は昆虫を誘引する赤外線源だけではない。防虫剤、又は誘引剤を最適に供給するために、温度と拡散率の制御も重要である。
【００２５】
本発明で膜を通す拡散率が低い物質をアンプルに添加する。一定の温度を超えると、アンプルは拡散するケミカルの蒸気圧を低下させる水やケミカルを放出する。水等の放出されるケミカルは更に燃料ケミカルの触媒による消費を制御する蒸気として膜を通る。この仕組みで広範囲の温度にわたりケミカルの供給を調整することができる。また、化学反応、又は触媒ヒーター、又は燃料電池に供給する燃料の温度を調節することができる。
【００２６】
蒸気圧を制御する添加ケミカルの更なる効果に、膜を通して拡散するケミカルに含まれる水等の不純物を吸収することにより低温でケミカルの蒸気圧を一定のレベルに保つこともある。温度調節システムの例として硫酸ナトリウム水和物(グラウバー塩)をメタノール燃料とＤＥＥＴ入りシリコーンゴム製アンプルに添加する。アンプルの温度が３２．３℃を超えると、塩類の脱水が起こる。脱水反応は熱エネルギーを吸収する。それから、放出される水はメタノールとＤＥＥＴに溶け、メタノールとＤＥＥＴの蒸気圧を低下させる。
【００２７】
塩類がエネルギーを吸収すると、まず、燃料の等温状態が得られる。等温状態は体温で受動的に加熱されるシステム、あるいは太陽熱で加熱されるシステムの温度を一定のレベルに保つのに有効である。蒸気圧が低下すると触媒ヒーターへの燃料供給を絞り、熱出力を低下させる。燃料供給と熱出力との間で動的平衡が得られることにより自動温度調節システムができる。硫酸ナトリウムは完全に水和した状態ではなければ、低温でアンプルに拡散してくる水を吸収し、拡散するケミカルの蒸気圧を低下させるので、低温でも高い供給率を保つことができる。
【００２８】
自動温度調節システムは、分散型ヒーターの局所的制御が要求される、使いやすい・構造が簡素な温度調節ヒーターに使用できる。このような装置の例には人体に付けるパーソナル・ヒーター、人体に付ける、あるいは人体に付けない昆虫誘引システム、広範囲のヒーター、燃料電池、機械のヒーター、食品用ヒーター、食品解凍用ヒーター、機材・構造用の凍結防止ヒーター、機材・構造用ヒーター等がある。
【００２９】
システムが広範囲の温度域で稼働するのに一定量のケミカルを加熱せずに供給する必要がある場合は、本願システムの流体拡散を温度調節で制御する、あるいは安定化させる機能を使用できる。加熱しない、一定の供給量を保つシステムの例には腕や足に付ける防虫剤の受動的供給システムやドラッグデリバリー用経皮的貼付、又は人体に付けない防虫剤供給システム等がある。
【００３０】
本発明は参照することにより本出願に組み込まれる同時係属出願である「膜を使用する触媒ヒーター」（国際公開第ＷＯ０３/０３１８７４号公報、米国特許出願第６０／３２７，３１０号）に燃料の蒸気及び空気（又はその他の酸素源）が触媒に供給されるという新しい特徴を加える。触媒は燃料の無炎燃焼を促進し、放熱させる。液状燃料は、燃料の蒸気のみが膜を通して拡散し触媒に供給されるように選択的透過性膜の使用により供給される。触媒は担体に置かれ、触媒と担体多孔性素材に設置される。
【００３１】
代案として、選択的透過性膜で触媒を担持することも可能である。燃料の選択的透過性膜への供給及び膜の具体的な特徴で触媒ヒーターの発熱量を制御できる。膜を通る燃料の選択的分子ろ過は燃料に含まれる塩類等の不純物による触媒ヒーターの汚染を防ぐ。膜は選択的にメタノール等の燃料を透過させ、副産物である水を透過させないので、燃料の水による汚染を防ぎ、一定の燃料供給量で燃料の濃度を保つことができる。
【００３２】
膜を使用する触媒ヒーターの更なる特徴には燃焼用触媒の汚染を防止する追加のコーティングである。このコーティングには粉末触媒を担持する基板に接着する機能もある。また、コーティングには燃料や燃焼反応産物に対する透過性特徴もある。触媒燃焼の速度も制御できるから、本発明の更なる制御手段となる。コーティングは触媒の表面の汚染を防ぎ、触媒の効果を強化することもある。コーティングは燃料、酸化剤及び反応産物に対する親和性があると燃料の有効性を高めることができる。
【００３３】
各種用途のために触媒ヒーターをシステムに組み込むことができる。選択的透過性膜と液状燃料を触媒ヒーターに近接して使用するシステムの独自の特徴には、燃料が沸点に達すると沸騰で燃料を触媒反応の場所から除去し、ヒーターの最高温度を制限するという点がある。気化燃料を熱交換器で凝縮することも可能であるし、ヒーターの熱的出力を効率的に供給できる。燃料の沸騰する仕組みは二酸化炭素と窒素の逆拡散と一緒に燃料を自動パージさせ、均質性を保つために利用できる。燃料の均質性を保って、触媒に直接的に接触させないことにより、燃料を抜くことでヒーターの燃料による汚染を簡単に除去することができる。
【００３４】
重要な新規特徴は次の点を含むが、これらに限定されない。
１．拡散ケミカルを保持する透過性膜。
２．高温で蒸気圧を加減又は減少させる、又は低温で高い蒸気圧を保つケミカル添加剤。
３．透過性膜のケミカルを保持する不透過性膜。
４．拡散アンプルと使用者の間に、ケミカルとの接触を軽減するための不透過性バリア。
５．触媒ヒーター。
６．アンプル内の昆虫センサーを妨害するケミカル。
７．アンプル内の昆虫を誘引するケミカル。
８．アンプル内の昆虫センサーを妨害する、昆虫を誘引するケミカル。
９．アンプルにおける昆虫を乱す、又は追い払う手段。
１０．昆虫を殺す、又は感染させる、又は接種する、又は食欲を満たす、又は障害を与えるアンプル内のケミカル。
１１．昆虫の獲物によく似た目の像や色やパターン。
１２．昆虫を誘引するために、昆虫の獲物に似たような赤外線放射パターン。
１３．昆虫を誘引する、又は乱す、又は失明させる、又は追い払うための点滅する赤外線等の光システムを組み入れること。
１４．昆虫を誘引する、又は追い払う音を組み入れること。
【００３５】
これら及びその他の発明の特徴は上記と下記の文書による説明及び図面と請求事項を含む発明の開示により明らかになる。
【発明を実施するための最良の形態】
【００３６】
図１はバンド１の内側から防虫剤アンプル７を取り出した布製のリストバンド又は足首バンド１の図である。バンド１の素材は木綿、「クールマックス」ポリエステル織物、絹、または弾性繊維入りナイロン織物（ｔｅｘｏｌｌｉｎｉ，  ２５７５  Ｅｌ  Ｐｒｅｓｉｄｉｏ  Ｓｔ．，  Ｌｏｎｇ  Ｂｅａｃｈ，  ＣＡ  ９０８１０）である。バンド１は内側ボリューム（ポケット）６ができるように切られ縫われる。目のパターン３の真下にバンド１のポケット６にゴム製アンプル７、８を縫い入れることもできる。バンド１の外面のスリット６はポケットの入り口である。スリット入り口６をバンド１の内面に設置することも可能である。
【００３７】
バンドの表面に目のパターンがインクで描かれる３、４、５。目のパターンには瞳孔に見える暗色の中央部分５がある。下にある黒いアンプルが見えるように丸い孔を開ける仕組みも効果的である可能性もある。目のパターンの透過性布あるいは孔からケミカルが拡散するように、供給ケミカルに対して透過性が低い、あるいは不透過性の膜又は布でポケットを作成したり、裏地を付けたりすることも可能である。この使用例では、二つのアンプル８、７の異なった香料を混合するためにポケットに均質化空洞も設けられる。アンプル７、８の表面が皮膚に接触するため外部の布面より熱くなり、使用者の体温の熱導体としてより効果的に目の熱的特性を真似するという特徴もこの孔のパターンにある。
【００３８】
印刷された黄色又は白の部分４は黒い中央部分５を囲む、又は黒い中央部分５に隣接する。これは虹彩及び結膜の白目を真似する。黄色か白の部分４の周りにピンク、又は赤、又は赤紫色の縁のパターン３がある。これは動物の瞼及び目の周辺の露出した薄皮を真似する。バンド２の残りの部分は動物の毛皮又はプレート部分の比較的に低い放射率を真似するために薄茶色等の薄い色に染められる。このパターンの色は蚊の代表的な獲物の表面放射率を真似するために選択された。図５は有効に用いられた、同様に隣接する色付き部分のある抽象的パターンの図である。
【００３９】
色付き部分３、４、５を蚊が獲物を特定するために使用する赤外線スペクトルに合わせることも望ましい。特に、目の部分３、４、５が主に水で占められる湿った目と同じ赤外線スペクトルを発生させることが理想である。従って、パターンに木綿繊維、木綿生地、ヒドロゲル等の保水力のある素材を組み込むことも可能である。
【００４０】
図１の防虫剤アンプル７、８は２枚のシリコーンゴムシートで作られる。（Ｓｐｅｃｉａｌｔｙ  Ｓｉｌｉｃｏｎｅ  Ｆａｂｒｉｃａｔｏｒｓ  Ｉｎｃ．，  ３０７７  Ｒｏｌｌｉｅ  Ｇａｔｅｓ  Ｄｒ．，  Ｐａｓｏ  Ｒｏｂｌｅｓ，  ＣＡ  ９３４４６）この使用例では、二つのアンプルが定率の誘引・妨害・飽和化学的流体を供給するためにそれぞれのシートの厚みと構造を調整することができる。液体ケミカルを目的の比率で供給するために多数のアンプルの容量・表面積や膜の素材・厚みの組み合わせを用いることができる。香料入りアンプルを選択してもらうことにより使用者の香りの好みに対応できると予想される。
【００４１】
裏のシリコーンゴムのシート（厚さ０．５−ｍｍ）９及び厚さ２５−μのアルミホイルのシート１３は切り抜かれる。透過性の高いシート７とシリコーン膜の透過性の低いシート８及びシリコーンゴムのスペーサ枠１１も切り抜かれる。シリコーンゴム製膜９に接着されるアルミホイルシート１３からなる裏の壁はシリコーンシール剤で貼り合わせられる。外側のシート７，８と枠１１と裏のシート９，１３はヒュームド・シリカ、乾燥結晶、無水硫酸ナトリウム等の懸濁剤１２，１４と一緒に空洞のあるアンプルを作るためにシリコーンシール剤で枠１１に貼り合わせられる。シリコーンシール剤の硬化は硫酸ナトリウム１２の水和を防ぐために３３℃以上の加湿環境下で行う。
【００４２】
代案として粉末の硫酸ナトリウムとヒュームド・シリカ１２を流体１０，２８とのスラリーとして予め作られたシリコーンアンプルに注入することができる。シリコーンシール剤が完全に硬化したら、注射器でＤＥＥＴ液と葉酸、シトロネラ、オクタノール、香料等の誘引剤１０はアンプルに注入される。二つ目のアンプルはアセトン、メタノール、エタノール等の高揮発性流体２８のために厚い膜又は複合膜を使うように設計することができる。
【００４３】
シリコーンゴム７，８，１１はＤＥＥＴ、オクタノール、葉酸、メタノール、エタノール、アセトンに対して拡散透過性が高く、ケミカル耐性を持つが、硫酸ナトリウムに対する透過性が低い。アルミホイル側１３がバンド１の内面に面する状態でゴム製アンプル７，８を折って、ポケット６の弾性布を伸ばすことによりゴム製アンプル７，８をバンド１に挿入する。そして、ゴム製アンプル７，８をリストバンド１の目のパターン３，４，５の下にあるポケット６の中で広げる。
【００４４】
組み立てたバンド１は手首、足首、腕、額、首、帽子に付けることができる。下面に接着性コーティングを加えると包帯として使うことができる。動物に付けることもできる。暖かいものに付けることもできる。バンド１は汗止めバンドとしても働き、汗を保水力のあるパターン部分の方に吸い取る。バンドの目のパターンの部分に使用者の香りを加える効果もある。メスの蚊はまず、使用者とアンプルから発生する二酸化炭素と香りに誘引されると思われる。蚊はアンプル７，８から発生する、使用者の体温で暖められる低揮発性化合物１０及び高揮発性化合物２８にも接触する。
【００４５】
香りは最初に蚊を優先的にバンド１に近づかせるように設計されている。接触する直前に蚊の化学センサーがＤＥＥＴに妨害されるので、赤外線と視的手がかりを使うようになる。約３メートル以内と十分に近づけば、蚊は黒い瞳孔に似たパターン５とバンド１の赤外線放射パターンに誘引され、おとりの赤又はピンク色の部分３と白い部分４の境に止まる。視的手がかりを使える距離でなければ、蚊はＤＥＥＴの障害を受けて遠くから獲物を特定できなくなった状態で去っていく。おとり３，４，５に止まる蚊は高濃度のＤＥＥＴを投与され、化学センサーを妨害される。
【００４６】
シトロネラのようなケミカルは蚊の食欲を混乱させる可能性がある。ＤＥＥＴのみ使用した時に蚊が繰り返しておとり３，４，５を攻撃することを観察している。使用者が動いたり、蚊を追い払ったりすると蚊が視的手がかりから離れてしまうから、実際の獲物を特定する可能性が低くなる。アンプル７，８は目的のＤＥＥＴと香料１０，２８の供給量を数日間安定的に供給できるように設計することができる。
【００４７】
シリコーンゴム製アンプル７のアルミホイル製壁１３はＤＥＥＴと香料１０，２８の使用者への接触を防ぐ。これにより使用者に吸収されるＤＥＥＴと香料１０，２８の量を減らすことができる。バンド１を水、又は汗で濡れると、おとりのパターン３，４，５の誘引力を高めることができると思われる。
【００４８】
図２は拡散アンプル１８及び周りの不透過性パッケージ１５である。拡散アンプル１８はシリコーンシール剤で貼り合わせたシリコーンゴム製膜１７、シリコーン製枠２３、裏のシリコーンゴム製の壁２４及び裏張りのアルミホイル２６からなる。拡散アンプル１８の中に硫酸ナトリウムの結晶２５、珪藻土、あるいはヒュームド・シリカ１９がある。ＤＥＥＴと含水塩の混合液２５，１９に珪藻土、ゲル化剤、綿繊維、又はヒュームド・シリカを加えることにより膜への接触を保ち、含水塩を懸濁状態に保つことができる。塩類結晶のＤＥＥＴより高い密度、及び水和状態と脱水状態の寸法の違いによる沈殿を防ぐこともできる。硫酸ナトリウムを触媒ヒーターや燃料電池の温度調節システムとして使う場合は硫酸ナトリウム２５を水和する。
【００４９】
ウレタンとポリプロピレンを塗った２枚のアルミホイル１６からなる不透過性パッケージは拡散アンプル１８の周りにヒートシール１５で装着される。注射器でＤＥＥＴと、乳酸、オクタノール等の誘引化合物１９及び硫酸ナトリウム水和物２５を拡散アンプル１８に注入する。図２は、拡散アンプル１８を取り出してバンド、捕獲装置、妨害装置に設置するために不透過性パッケージ１６，２０を破った状態２１，２２を表す。
【００５０】
図２はアンプルの横断面図である。外側のシリコーン製膜２８０は糊又はヒートシールで枠２８１と裏の壁２８５に付けられる。アルミホイル等の不透過性素材からなる裏の壁の膜２８４は裏のシリコーンゴム製壁２８５に糊で付けられる。不透過性膜２８４を枠２８１の縁（非図示）及び前面の膜２８０の一部に巻くことにより使用者の肌にケミカルがなるべく拡散しないようにできる。
【００５１】
図３Ａは触媒ヒーター、燃料電池、及び扇風機を使用する蚊捕獲器の目のパターンの面である。目のパターンの中央に赤外線を放射する黒い点３０がある。この点は塩化ナトリム、砂糖、固体ポリマー電解質（Ｎａｆｉｏｎ）のような保水力のある素材で作製することができるが、その素材のコーティングを塗ることも可能である。目に見える点３０は触媒燃焼装置と燃料電池とが入っているセラミック、アルミニウム、又はＳＵＳ製シリンダーに描かれる。黒目点３０の周りに虹彩３１と結膜の白目を真似するパターンがある。このパターンは、シリンダーの縁に白又は黄色の塗料及び酸化チタン、ペルフルオルスルホン酸（Ｎａｆｉｏｎ）等の固体ポリマー電解質、又はスルホン化ブチルゴムとポリスチレン（ＤＡＩＳ）のような保水力のある、又は水と同様に赤外線を放射する素材を塗ることでできる。
【００５２】
目を真似するパターンに（あるいは、その周辺に）動物の目と肌が放射する電磁波やケミカルに適合した塩水と誘引するケミカルが入っている透過性アンプルを設置することができる。一つのアンプルで誘引用ケミカルと燃料を供給すること、あるいは、二種類の膜を使って一方で蚊を誘引するケミカルを供給し、他方で触媒ヒーターと燃料電池に燃料を供給するという仕組みも実現可能な可能性がある。
【００５３】
優先的に水とオクタノール、乳酸、ＤＥＥＴのような大きな香料分子を溜めながら、シリコーン製中空糸膜で触媒ヒーターと燃料電池にメタノール燃料を供給する仕組みも可能である。メタノールが枯渇された残りの流体は小さな中空糸ベント（長さ１０ｃｍ、内径１２５μのＳＵＳ製チューブ）、又は透過性膜（厚み５００μのシリコーンゴム膜、あるいは厚み２５μのウレタンゴム膜)を通して目のパターン３０にある多孔性蒸発表面（細孔の大きさが０．５〜１．３μの多孔性アルミナ）に流れる。
【００５４】
虹彩３０と結膜３１の周りに空気取り入れ口ののど部がある。流管３２の内壁と外壁は赤又はピンク色のコーティングが塗られ、Ｎａｆｉｏｎ等の保水力と血液と同様な赤外線の放射特徴を持つコーティングも塗られる。のど部の外側に外部ハウジング３３と空気流の円筒ダクトがある。これは動物の体を真似するために黄褐色、又は茶色に塗ることができる。捕獲器の再循環流から十分な香料が放たれるように、二酸化炭素と香料用ベント６７を設ける。のど部３２を横断する吸気口６８は捕獲器の中央部と燃料電池アレイに外気を取り入れる。
【００５５】
稼働中の中央の黒い点３０は２５℃〜４２℃に加熱されるが、燃料供給袋又はアンプル及び触媒ヒーターと燃料電池で調節する温度の目標値は３６℃である。熱は中央の金属製円筒と燃料供給袋又はアンプルに伝導される。中央の点３０は蚊の視的・赤外線標的となるが、触媒ヒーターと燃料電池は中央の点を必要な温度まで暖める。捕獲器の入り口の近辺で再循環される二酸化炭素と香料入りガスの一部がベント穴６７から放出される。
【００５６】
図３Ｂは昆虫捕獲器の断面図である。中央の点３４はアルミニウム等の金属からなり図３Ａの各種コーティングが塗布された固体板として表示されているが、蚊を誘引するために香料と水が表面に浸透できるシリコーンゴム、ウレタン、多孔性セラミック、又は布で作製することもできる。
【００５７】
中央の点３４の裏に燃料アンプル３４がある。これはメタノール、アセトン、葉酸、オクタノール、ＤＥＥＴ、ヒュームド・シリカ３６と硫酸ナトリム水和物３７のような流体が充填されている単一の袋として表示されている。珪藻土、綿繊維６１、ゲル化剤、又はヒュームド・シリカを燃料と含水塩の混合物３６に加えることにより膜３８への接触を保ち、含水塩３７を懸濁状態に保つことができる。塩類結晶と燃料より高い密度、及び水和状態と脱水状態の寸法の違いによる沈殿を防ぐこともできる。
【００５８】
挿入できるアンプル、加圧容器で充填する中空糸等、様々な形の燃料アンプル３８を設計することができる。燃料アンプルの傍に１％の白金を担持したアルミナビーズ３９（Ｅｎｇｌｅｈａｒｄ  Ｃｈｅｍｉｃａｌ  Ｃａｔａｌｙｓｔ  Ｇｒｏｕｐ，  ５５４  Ｅｎｇｌｅｈａｒｄ  Ｄｒ．，  Ｓｅｎｅｃａ，  Ｓｏｕｔｈ  Ｃａｒｏｌｉｎａ，  ２９６７８）と白金コーティング付ケイ酸アルミナ繊維６０（Ｉｎｆｒａｇａｓ  Ｓ．ｐ．Ａ．，  ｖｉａ  Ｌａｖｏｒｅｓｃｏ，  １０−１００７２  Ｃａｓｅｌｌｅ，  （ＴＯ）  Ｉｔａｌｙ）の床がある。
【００５９】
触媒床３９は同心のアルミニウム製穴あき円筒５４に囲まれる。アルミニウム製穴あき円筒５４の外面は肌やまぶたの浅い血管の赤外線・視的の電磁放射を真似するために赤いコーティングが塗られる。触媒ヒーター３９，６０，５４はアンプルの膜３８を通して触媒３９，６０に拡散するメタノールをヒーターの前を流れる空気４４，５６から拡散する酸素と触媒燃焼する。
【００６０】
燃料電池又は熱電対列５８，４３，４２，４１，５９は燃料アンプル３８に隣接する。外気が空気流路６４から燃料電池又は熱電対列５８，４３，４２，４１，５９に流れる。熱電対列を使う場合は空気流路６４の代わりに捕獲器の外側にフィン付ヒートパイプを付けることができる。メタノールに含まれるエネルギーを電気と熱に変換するために、燃料電池はアンプル３８のメタノール燃料とフィルター付マニホールド５１，５９から拡散してくる酸素を利用する。燃料電池の副生成物である二酸化炭素と水は燃料電池５８，４３，４２，４１，５９から拡散し、空気流５３，６３に流れる。
【００６１】
燃料電池の代わりに熱電対列を使う場合は、空気流５３，６３で熱電対列の熱を放熱し、熱を触媒ヒーターから空気流５３，６３に伝熱される。扇風機に結合したヒート・エンジンや発電機に結合したヒート・エンジン等のその他のエネルギー変換装置を使うこともできる。光電池、バッテリー、購入電力も電源として使用できる。
【００６２】
燃料電池の外側に空気をろ過する多孔性のポリエチレン製不織布シート付穴あきプレート５１がある。燃料電池又は熱電対列の電気的接続５５，４０は扇風機４７，４８に接続される。バッテリー、又は蓄電装置及び昆虫を捕獲器から逃がさない適切なフラップ弁を使うと昆虫の給餌時間のみの稼動が可能である。目的の稼働時間を感知する電子機器で燃料弁や燃料ポンプを制御する、あるいは扇風機の電源を入れたり切ったりする、あるいは誘引する光源、振動、音響を稼動させることだけではなく、捕獲器がいっぱいになったことや異常が発生したことを知らせる装置も稼動させることができる。
【００６３】
扇風機４７，４８はスクリーン４９の裏にある。扇風機等の非定常の空気流、又は周期的空気流で蚊を効果的に捕獲できることも述べる必要がある。ベント６６から発生する二酸化炭素と香料を含んだ周期的な空気流６５も獲物の呼吸を真似するから昆虫を誘引する可能性がある。
【００６４】
この捕獲器では、プランクトンを採集する円錐形網のようなフィルター４９で昆虫の死体５０を少しずつ下方に移動させ、出口のジャーや引き出しにたまった死体を容易に処分できるように設計することができる。昆虫の死体５０に汚染されないように、扇風機４７，４８は網４９の下に設置される。空気流５３，６３，４６，５２は扇風機でスクリーンを通して吸い込まれ、外部と内部のプレナムダクト５６，４４から捕獲器の入り口６２に送られる。空気を再循環させる目的は、空気流の運動エネルギーを利用することで空気流の効率を上げることと、昆虫を誘引する場所である捕獲器の入り口６２で誘引剤を放つことである。再循環される空気は冷たい空気を加熱したり、暖かい空気を排気したりしないので、ヒートエネルギーも節約する。同様なシステムで再循環させない場合に比べて、再循環させた空気４４，５６，４６，５６は温度及び二酸化炭素、水分、香料の濃度が高く、気流速度が速い。
【００６５】
再循環させた空気４４，５６の一部６５は不規則変動、拡散、又は捕獲器の入り口６２にあるベント６６からの排出により周囲の空気に放たれる。二酸化炭素の濃度は、動物の呼気濃度である４．７％を超えないことが重要である。高濃度の二酸化炭素は蚊に対して麻酔作用があるので、捕獲器を避ける恐れがある。
【００６６】
捕獲器の入り口６２で空気流４４，５６は外部の空気流ハウジング４５に沿って標的３４，３５，５４の回りの環状開口６２に流れる。入り口６２での空気流４４，５６のパターンは、外部と内部ハウジングの形状と寸法を調整することにより、標的３４，３５の赤い縁５４に誘引される昆虫を空気で捕獲するように設計できる。一部の昆虫（蚊等）は速い空気流と空気の傾斜流を避けるため、空気流４４，５６を徐々に標的３４の中央から徐々に放射状に速める必要がある場合もある。
【００６７】
強風から逃げる蚊は空気流方向に垂直に下の方に飛ぶ。その本能は捕獲器に近づく蚊を裏切ってしまう。従って図のように標的３４が上面に水平にあるように、又は垂直にあるように捕獲器を向けると、蚊５７は反対の死角４４、空気流５６、又は捕獲器の奥に入ることがある。
【００６８】
赤い環状開口５４の空気流５６，４４，５３の速度は速い（約８ｋｍ／ｈｒ）ので、赤い環状開口にたどり着いた蚊の飛ぶ速度は逃げるために不十分である。速い空気流５６，４４に運ばれる昆虫は環状開口５４に入り、ヒーター５４，３９，６０と燃料電池４１，４２，４３，５８の前を通ってフィルター部４９に入る。フィルター４９は蚊が通れない網目サイズのスクリーンでできる。上記に述べたように、フィルター４９を垂直に設置した円錐状のものにすると円錐の天辺に徐々に昆虫を集め、処分するためにジャーや引き出しに出すことができる。
【００６９】
図４Ａは回転するメッシュのヘリックス７２を含む捕獲器である。メッシュのないヘリックスも使用できるが、空気を捕獲器の下から出す必要がある。この図で誘引する視覚的標的は中央の黒い円盤７０である。コーティングは動物の湿った皮膚組織の放射率に近似するように調整される。中央の円盤７０の周りに白か黄色等の薄い色の縁７１と赤かピンク色のヒーターの表面とらせん状メッシュ７２がある。らせん状メッシュ７２の外側に黄褐色や茶色等の昆虫を誘引しない色のヘリックスの側壁７５がある。側壁７５の外側に空気流のプレナム７６と円筒状の外部ケース７７がある。
【００７０】
昆虫を誘引する乳酸、オクタノール、二酸化炭素、水を透過性膜を通して放つアンプルの表面を暴露するために中央の円盤７０に穴を開けるか透過性部分を付けるオプションがある。誘引する標的７０の上にヘリックス７２が見えないように昆虫の視界を遮るシールドともなる支持枠７３がある。昆虫が稼動している捕獲器の標的に近づくと、昆虫はヘリックスの先端７４の回転の半分を見られない。ヘリックスの回転は捕獲器の内部につながる、早く開閉するメッシュ状ドアの機械的機能を持つ。
【００７１】
図４Ｂは捕獲器の断面図である。中央の円盤９８の断面は燃料と昆虫を誘引・妨害するケミカル化合物７９，８０，８１が入っている円筒状透過性アンプルと表示されている。アンプル７９の壁は多孔率２０％のアルミナ製円筒（細孔径０．５μ）、あるいは厚み１，０００ｍｍのシリコーンゴム等の透過性のある素材でできる。アルミナ製円筒７９の外側に厚み５０μのシリコーンゴム製フィルムを結合することもできる。
【００７２】
円筒状アンプルにメタノール、ヒュームド・シリカ、オクタノール、硫酸ナトリウム等の燃料、懸濁剤、香料及び塩類８０，８１が充填される。アンプル７９に補給するために外部の容器と充填チューブ（非図示）を中央の支持はり７８に付けることができる。円筒状アンプル７９の周りに１％の白金を担持したアルミナビーズ８２がある。
【００７３】
メタノールを燃料として使用する燃料電池のアレイ９５，９４，８７，８６は燃料アンプル７９に隣接する。この燃料電池アレイは米国特許第５，６３１，０９９号と米国特許第５，７５９，７１２に開示される技術を使って作製できる。燃料電池アレイ９５，９４，８７，８６は燃料アンプルから拡散する燃料及び円筒の穴８８を通して拡散する空気を使用する。
【００７４】
燃料電池９５，９４，８７，８６を昆虫の死体や大きめの炭化水素分子による汚染から守るために、水分を逃がさない、選択的に燃料に含まれる水素とメタノールを通す選択的透過性膜を使用することができる。燃料アンプル７９の周り多燃料の触媒反応が起こるが、燃料電池９５，９４，８７，８６はその反応で生成される水素を燃料として使うことも可能である。ヒーター・燃料電池の高い温度及び燃料電池の腐食性環境に耐えられるセラミック等の電気絶縁基板で燃料電池９５，９４，８７，８６を固定することができる。
【００７５】
燃料電池の選択的透過性膜として、燃料側８５でセラミック基板に担持される白金コーティング付パラジウムや空気側８７でシリコーンゴムを使うことができるが、燃料電池の電極８５，８７に選択的透過性膜を組み込むことができる。空気側の膜８７は厚み３０μのシリコーンゴムのような素材で電解質と水分を逃がさないで酸素を中に入れる。
【００７６】
燃料電池の電解質８６はリン酸をドープしたＰＢＩである。（ＰＥＭＥＡＳ  ＧｍｂＨ，  
Ｉｎｄｕｓｔｒｉｅｐａｒｋ  Ｈ）ｃｈｓｔ，Ｇ８６４，６５９２６  Ｆｒａｎｋｆｕｒｔ／Ｍａｉｎ，  Ｇｅｒｍａｎｙ）余分な水分があると、この膜状電解質は浸出し燃料電池から剥がれてしまう。従って、燃料電池の膜フィルターに水分を制御する機能がある９５，９４，８７，８６。電解質を逃がさないために、電解質８６の周囲の相対湿度は低い方が良い。そのために、この燃料電池の理想的な稼動温度は高い。触媒ヒーターと温度調節機能で３２℃以上の温度を保ち、燃料電池と相乗作用を発揮する。
【００７７】
この燃料電池アレイ９５，９４，８７，８６は直列につないだ個別の燃料電池、又は単一の燃料電池という構造である。燃料電池９５，９４，８７，８６に耐熱の電解質を使うこともできる。電気出力線９２，９３はらせん状メッシュ８３を回転させる直流電動機９１に接続される。この図でらせん状メッシュ８３と中の触媒ヒーター８４と燃料電池の穴あき円筒８８との間の隙間は１ｍｍ以下である。メッシュ製円筒８９はＳＵＳ製メッシュ、又は穴あき円筒でできる。昆虫が通れないように、メッシュの網目９０は直径１ｍｍ以下である。
【００７８】
非多孔性ヘリックス８３も可能であるが、その場合はヘリックスの回転により移動する空気が、回転する円筒８９の下にある穴９０から排気されることが不可欠である。内部の円筒８４に偏向板９７を付けることによりらせん状メッシュ８３の回転に同伴される空気を止めることができるが、昆虫の死体を移動させるには有効的という可能性もある。偏向板９７は昆虫の死体を粉砕し、回転する円筒９０の穴から排出するためにも使うことが可能である。電動機と触媒ヒーターを固定しながら粉砕した死体を地面に落とすために外部ハウジング９６に穴９９をあけることができる。外部ハウジング９６は昆虫を誘引しない黄褐色である。
【００７９】
図５は蒸気を放つリストバンド１０６である。リストバンド１０６は肌の水分をバンドの外面に移動させる布でできる。素材の候補にＣｏｏｌ  Ｍａｘ（Ｒ）ポリエステル、絹、弾性ナイロン等がある。ポリプロピレン織布、又はポリプロピレンの不織布も使用可能である。布の外面に酸化チタン等の肌・水・血液と同様な赤外線放射パターンを有するコーティングで処理された部分１０２，１０３，１０４を設けることができる。染めた木綿の布をリストバンドに縫い合わせることでパターン１０２，１０３，１０４を設けることも可能である。
【００８０】
リストバンド１０６の外面に染められた黒い部分１０４、黄色い部分１０３と赤い部分１０２からなるパターンがある。リストバンド１０６の中に膜アンプルを挿入する空洞１０５がある。リストバンドの内面に膜アンプルを挿入するポケット口（非図示）がある。アンプル１０８は人間の手首１０をほとんど包むように設計できるが、図を簡単にするためにリストバンドの一部にしか入っていないように表示されている。複数のポケットとアンプルを設けることもできる。
【００８１】
目的の誘引、又は防虫、又は妨害機能を付けるために、違う厚みの膜を使った複数のアンプルを組み合わせることが必要になることもある。例えば、アセトンと乳酸は誘引剤としての効率を発揮するために一定量で供給する必要があるが、シリコーンゴムを通して拡散する速度が異なる。容量、有効面積、膜特性の違う二種類のアンプルで対応できる。
【００８２】
膜アンプル１０８はシリコーンシール剤で縁１１０を貼り合わせた厚み１ｍｍのシリコーンゴム製シート１０９，１１３とシリコーンゴムに囲まれたアルミホイル等の不透過性裏の層１１２という構造である。シールされた膜アンプル１０８にＤＥＥＴ１００％等の蒸発するケミカルが注射器で充填される。代案として、口が開いた袋になるように一部のシールをし、袋に蒸発するケミカルを充填してから口をシールすることもできる。
【００８３】
図５のリストバンド型防蚊装置を使うとき、膜アンプルは図２のように密封パック１６から取り出され、色付きパターン１０４，１０３，１０２の下にあるリストバンドの内部ポケット１０５に挿入される。膜アンプルの不透過性面１１２が人間の手首１０１に面し、透過性面１０９が外側に面する。手首１０１に装着するので、手１０７を自由に使えるし、料理や釣りに支障を来たすケミカルを手に付けないで済む。
【００８４】
図６は触媒ヒーター、膜の燃料・防虫剤アンプル及びおとりの組み合わせの分解図である。蒸気源である燃料・ケミカルアンプルはアルミホイル等の不透過性の裏の層１２１、シリコーンゴムの側壁１２１及びガラス繊維１３１で補強されたシリコーンゴム製膜１２２の組み合わせとして表示されている。
【００８５】
伝熱を防ぐために、不透過性の裏面１２０にガラス繊維で補強されたパネル、又は真空断熱パネル１３２を設けることができる。シリコーンゴムで縁１２１を貼り合わせる。厚み１．５８ｍｍの穴あきアルミ製箱１２３（穴径１ｍｍ、多孔率３０％）が燃料アンプルに隣接する。穴あき箱の中に１％の白金を担持したアルミナビーズ及び白金触媒を担持する岩綿１２４がある。触媒ヒーターは、参照することにより本出願に組み込まれる同時係属出願であるＰＣＴ/ＵＳ０２/３２０４１に詳しく開示されている。
【００８６】
触媒燃焼装置の穴あき箱の上に触媒ヒーターの中で分解したり詰まったりする香料を拡散させるもう一つの香料用アンプル１３３がある。このアンプル１３３を使って、燃料アンプル１２１と別にＤＥＥＴ、葉酸、オクタノール、４−メチルフェノール（人間の汗に含まれるたんぱく質）、ピレテリン（殺虫剤）等の香料を供給できる。香料用アンプル１３３はアルミホイルの不透過性裏の層１３５、シリコーンゴム製枠１３４及び透過性シリコーンゴム膜でできる１３３。
【００８７】
蚊の視的標的となる目１２８，１２７，１２６と周囲の皮膚１２５のパターンをした浸透性織布、あるいは不織布のカバー１２５が触媒床１２３の周りにある、又は触媒床に隣接する。布にパターンを刺繍することができるが、数枚の布で作ることもできる。布に穴を開け、香料用アンプル１３３の表面を暴露したり、目の表面や暖かい皮膚のような赤外線を放つ酸化チタンや親水性固体ポリマー電解質のコーティングが付いている触媒ヒーターの表面１２３を暴露したりすることができる。
【００８８】
使用時に燃料アンプル１２１は容器からホースで充填されるか、メタノール、エタノール、ジメチルエーテル、ギ酸、ホルムアルデヒドのような燃焼する燃料及びＤＥＥＴ、乳酸、オクタノール、４−目置ルフェノール（人間の汗に含まれるたんぱく質）、ピレテリン（殺虫剤）等の約１％の濃度の香料を予め充填することができる。温度調節するための硫酸ナトリウム十水和物等の塩類や吸水するための硫酸ナトリウム１３１もアンプルに添加される。メタノール等の燃料１３１は膜１２２を通して拡散し、外気１２５からカバーを通して拡散する酸素と触媒床１２３で触媒燃焼する。触媒ヒーター１２３，１２１の温度は約３６℃を保つように調節される。燃料アンプル１２１内の硫酸ナトリウム十水和物が水を放出すると、燃料供給量を制限する。熱が吸収され、拡散する燃料の蒸気圧も下がる。触媒１２４に拡散する水は触媒燃焼率を制御する。
【００８９】
シリコーン製膜を補強する布１２９，１３０は燃料アンプル内のウイック材として流体が減り、ガスが増えていくアンプルの中で流体の膜への接触を保ち、ケミカルの一定量の供給を保つ。珪藻土、やヒュームド・シリカを燃料と含水塩の混合物１３１に加えることにより膜への接触を保ち、含水塩を懸濁状態に保つことができる。塩類結晶と燃料より高い密度、及び水和状態と脱水状態の結晶の寸法の違いによる沈殿を防ぐこともできる。
【００９０】
燃料１３１に含まれる香料は膜１２２と触媒床１２３を通して拡散し、布の表面１２５から拡散していく。香料は昆虫を誘引し、においの受容体を妨害することもある。触媒ヒーター１２３は昆虫を誘引する二酸化炭素と水を発生させる。ヒーター１２３の暖かい温度及びコーティングと色のパターン１２８，１２７，１２６の組み合わせで昆虫を誘引する赤外線・視覚的標的ができる。この装置は昆虫の誘引装置、又は昆虫のセンサーを妨害する・無効にする装置、又は昆虫用おとりとして使うことができる。固定装置、携帯装置の一部として使うことができるし、人間や動物の衣装として使うこともできる。
【００９１】
図７Ａは触媒ヒーター、熱電対列、燃料電池、又は光電池を使用する高電圧放電の蚊捕獲器の断面図である。中央の誘引する標的は赤外線と香料を放つ加熱点２３５である。この捕獲器では、誘引する表面２３５はシステムの下にある。この例では熱源・電源として触媒ヒーター及び光電池２２０及び／又はバッテリー２２３を使用する。光電池２２０の出力は高電圧の格子２３４の電源となる。
【００９２】
加熱された標的に誘引される蚊はガードスクリーン２４７と標的の間を通るときに高電圧線２３４に感電死させられる。蚊の死体は捕獲器の下の地面に落ちる。
【００９３】
代案の昆虫を殺す仕組みは、昆虫が捕獲器に入ることに伴う容量変化等を高電圧格子２３４の制御機器２２４で検知し、捕獲器の入り口２３３に設置された強いレーザー光、閃光電球、又は発光ダイオード２４６（図７Ｂを参照）で殺したり、失明させたりする仕組みである。エネルギーを節約するために、昆虫が捕獲器に入るときだけ高電圧格子２３４に電圧を加えることができる。
【００９４】
二酸化炭素を発生させるために、アンプル２２７，２３０から重炭酸ナトリウムと反応する酢酸等を放つことができるので、触媒燃焼が不要であることを述べる必要がある。また、他の反応の触媒となるケミカル（例えば、鉄が酸化鉄になる反応の酸化剤である水）をアンプル２２７から制御して放出すれば、熱を発生させることができる。触媒となるケミカルの温度制御によりシステムの温度調節が可能である。
【００９５】
標的の表面２３５の裏に白金１％を担持したアルミナビーズ２３１（Ｅｎｇｌｅｈａｒｄ）及び白金コーティング付ケイ酸アルミナ繊維２３２（Ｉｎｆｒａｇａｓ）が入っている触媒ヒーターがある。触媒床２３１，２３２は触媒の両側に穴があいているアルミニウム製円筒２３５に囲まれる。触媒ヒーター２３１，２３２，２３５の上に燃料アンプル２３０，２２７がある。図ではメタノール、オクタノール、ＤＥＥＴ２２８、ヒュームド・シリカ、硫酸ナトリウム水和物２２９を含む単一袋として表示されている。
【００９６】
燃料アンプル２２７は装置に挿入できるアンプルや電子制御弁２４５を通して加圧容器２５０から充填される中空糸等、様々な形態が可能である。穴あき円筒２２６の外面２３５は肌やまぶたの浅い血管の赤外線・視的の電磁放射を真似するために赤いコーティングが塗られる。ヒーターはアンプルの膜２３０を通して触媒床２３１，２３２の方に拡散するメタノールをヒーターの下から入ってくる外気の酸素と触媒燃焼する。
【００９７】
燃料アンプルの上に触媒ヒーターの円筒の不透過性上面２２６がある。直流/直流、又は直流/交流の低電圧を高電圧に変換する変圧器２２４は光起電性アレイ２２０に充電されるバッテリー２２３に接続される。変圧器２２４が加熱された標的２３５の隣にある感電死格子２３４に高電圧を絶縁線２２５を通して与える。光起電性アレイ２２０の回路２３６，２２１にダイオードを設置することにより夜の光起電性アレイへの逆電流を防ぐ。
【００９８】
購入電力等の電源も使用できることを述べておく。高電圧線の電圧供給及び貯蔵層からアンプルへの燃料補給を制御する電子弁２４５をより高度な回路で制御できる。光起電性アレイ２２０の出力で太陽光を検知したり、夕暮れと夜明けに稼動させるタイマーを使ったりすることにより蚊が獲物を探している時のみ稼動するように制御できる。
【００９９】
制御する電子機器２２４に温度センサーを加えることにより、蚊が摂食する温度範囲内で高電圧格子２３４の電圧供給及び電子弁２４５が稼動するように調整できる。電子機器２２４は空気の温度と周辺光を検知し、風を察知する慣性センサーで風速を計り、捕獲器の効率を最適化するようにプログラムされたマイクロチップを使用することが可能である。誘引する光・振動・音響発生器をはじめ、捕獲器の運転状況や異常等を知らせる機器も組み込むことができる。
【０１００】
円錐とチューブ型ハウジング２２２は光起電性アレイ２２０、電子機器２２４、燃料アンプル２２７、及び触媒ヒーター２３５を固定する。ハウジング２２２は柱に取り付けたり、木の枝にぶら下げたりすることができる。
【０１０１】
図７Ｂは蚊捕獲器の底面にある標的と感電死させる部分である。目のパターン２３５の中央に赤外線を放射する黒い点２４２がある。この点は塩化ナトリム、砂糖、固体ポリマー電解質（Ｎａｆｉｏｎ）のような保水力のある素材で作製することができるが、その素材のコーティングを塗ることも可能である。目の点／円錐は酸化チタン塗料で触媒燃焼装置２４１を固定するアルミニウム、又はＳＵＳ製円筒に描かれる。触媒燃焼装置の穴２４１が表示されている。
【０１０２】
目の黒い点２４２の周りに、黒い点に黄色又は黄色の縁を付け、その周りに赤又はピンク色の縁２３９を付け、黄褐色等の薄い色のハウジングでできる虹彩２４０及び結膜の白目を真似する部分がある。色付コーティング２４２，２４０，２３９の上に酸化チタン、ペルフルオルスルホン酸（Ｎａｆｉｏｎ（Ｒ））、又はスルホン化ブチルゴムとポリスチレン（ＤＡＩＳ−Ａｎａｌｙｔｉｃ）のような保水力のある、又は水と同様に赤外線を放射する素材が塗られる。
【０１０３】
ガードスクリーン２４８及び高電圧線２３７はハウジングの円筒の入り口２３８及び中央の点を横断する。高電圧電源が高電圧を供給する。人間、動物、大きな昆虫が捕獲器の高電圧格子２４８に接触しないように、捕獲器全体、あるいは捕獲器の底面の入り口にガードスクリーンを取り付ける。
【０１０４】
捕獲器の横にレーザー光、閃光電球、又は発光ダイオード２４６の略図がある。感電死の他にまぶしい閃光で蚊を失明させることもできる。水の３μの赤外線域の波長等の蚊が感知できる最高の波長の光源なら人間の目が感知できないが、蚊を失明させる効率を最大にすることができる。光起電性アレイ２４３の底面の断面も表示されている。
【０１０５】
図７Ｃは触媒ヒーター、熱電対列、燃料電池、又は光電池を使用する高電圧放電の蚊捕獲器の外観図である。触媒ヒーターと高電圧捕獲部分２６２は円筒に入っているが、円錐型カバー２６１は雨の捕獲器２６２・回収ジャー２６５への進入を防ぐ。光起電性アレイ２６８は円錐型カバーに設置される。光起電性アレイを太陽に向けるために、かけるためのフック２６０と円錐型カバー２６１の間にねじ接続とロックナットを設置することができる。フック２６０は木の枝、棒、柱、紐、軒先等にかけることができる。子供や動物がいたずらできなく、蚊の巣があるような高さに掛けるのが理想である。
【０１０６】
捕獲器２６２の側面に三つの音響変換機２６３又はマイクロホンがある（表示されているのは二つ）。音響変換機及び／又はマイクロホン２６３でメスの蚊が発生する約５００ヘルツの音を検知したり、蚊２６７を誘引するために摂食中のメスの蚊が発生する５００ヘルツ/約３０ｄＢの音を発生したりすることができる。
【０１０７】
高電圧捕獲器の底面の周りに人間や動物を捕獲器の高電圧から守る堅いスチール製配線からなるガードリング２６４がある。ガードリングの底面にねじ接続２７０の透明のプラスチック又はガラス製の回収ジャー２６５がある。回収ジャー２６５に入ってしまう流体を抜くために、ジャーの底面に小さな水抜きベント２６９がある。感電死した蚊の死体266は捕獲器２６２から回収ジャーに落ちる。光起電性アレイ２６８が稼動し、捕獲器のバッテリーを充電できるために日が十分当たる場所に捕獲器を設置する。
【０１０８】
光起電性アレイ２６８と捕獲器の電子センサーが蚊２６７の摂食条件（例えば、温度が７℃以上、風速が６ｍ／秒以下、夜明け・夕暮れの４時間ずつ）を確認できるときに捕獲器が稼動を開始する。稼動する条件を捕獲する節足動物の摂食行動に合わせることができる。ヒーターが起動し、捕獲器から二酸化炭素、水蒸気、及び香料が発生する。エネルギーを節約するために、蚊２６７が捕獲器に近づくときに捕獲器２６２に高電圧を与えるように設計できる。
【０１０９】
蚊は他のメスの蚊の音や香料と捕獲器２６２の視的・熱標的に誘引され、ガードリング２６４を越えて捕獲器に入る。捕獲器２６２の中の標的に近づく蚊は放電により感電死させられる。死体２６６は回収ジャー２６５に落ちる。
【０１１０】
図８は人間の衣装に膜を使用する触媒ヒーター及び／又は防虫装置を設置できる位置を示す。ヒーターはベストやジャケット１４５のポケット１４７に設置することができる。必要な時に手１４９を暖めることができる。ポケットヒーター１４６がＤＥＥＴ蒸気を放つように設計することができる。触媒ヒーター１４６はベストやジャケットの背中の下部又は上部のポケットに設置することができる。
【０１１１】
使用者を暖かくして、ＤＥＥＴ蒸気や良い香りを放たせるためにこのヒーターを使用することができる。アンプルと触媒を含まないおとりをこのような位置に設置すれば、使用者の体温でケミカル蒸気を放ち、昆虫を妨ぐことができる。図にリストバンド１４８，アームバンド１５０，肩のパッチ１６５，ネックバンド１４４，メガネ１４３，帽子１４０，首マント１４２，ヘッドバンド１４１の加熱又は非加熱アンプル及び／又は昆虫用アンプルが表示されている。香料が入っているヒーター、又は入っていないヒーターは安らぎや治療のために人間の体を局地的に温めるために使用できる。アンプルと触媒ヒーターの温度調節機能で人間に快適かつ安全な熱を供給する。
【０１１２】
アームバンド１５０等に振動・定期的収縮でマッサージし血行を促進する装置もヒーターと組み合わせることができる。また、定期的に動くおとりは節足動物を誘引する。周期的にオン・オフ動作をさせると温度サイクルで血行を促進することも可能である。
【０１１３】
図９は人間の衣装の背面に膜を使用する触媒ヒーター及び／又は防虫装置を設置できる位置を示す。ヒーターはベストやジャケット１５９の上部１５６又は下部１５８のポケットに入れることができるが、マジックテープ（登録商標）や接着剤で衣装の外側に付けることもできる。熱の分布はヒーターより大きいアンプル又は流体入り密封アンプルやヒートパイプで行うことができる。
【０１１４】
メガネのストラップ１５３、襟１５５、ハットバンド１５２に設置されたヒーター、おとり、又は防虫装置も表示されている。使用者を暖かくしてＤＥＥＴや香料を放たせるために、触媒ヒーターを腰１５８、上背１５６、襟１５５、アームバンド１５７、ヘッドバンド１５２のポケットに入れることができる。帽子のスカート１５４で頭や首の露出皮膚をなるべく守ることができる。
【０１１５】
人間に熱を与えないで防虫のために触媒ヒーターを使う必要がある場合はヒーターと使用者の間にＴｈｉｎｓｕｌａｔｅ（Ｒ）  （３Ｍ  Ｃｏｒｐｏｒａｔｅ  Ｈｅａｄｑｕａｒｔｅｒｓ，  ３Ｍ  Ｃｅｎｔｅｒ，  Ｓｔ．  Ｐａｕｌ，  ＭＮ  ５５１４４−１０００）等の断熱材、又は真空断熱パネルを設置することができる。外のポケット１５８，１５６を使うとジャケットや帽子の断熱材の外側に触媒ヒーターを設置することができる。
【０１１６】
触媒を使用しないアンプル及びおとりを図で示す位置に付けると使用者の体温でケミカルの蒸気を放ち、昆虫を妨ぐことができる。香料が入っているヒーター、又は入っていないヒーターは安らぎや治療のために人間の体を局部的に温めるために使用できる。アンプルと触媒ヒーターの温度調節機能で人間に快適かつ安全な熱を供給する。
【０１１７】
アームバンド１５７や腰・上背パネル１５６，１５８等に振動・定期的収縮でマッサージし血行を促進する装置もヒーターと組み合わせることができる。アンプルの断熱材によりヒーターの下でまたは自己発熱で暖かくなった皮膚の毛穴が開くので、皮膚に接触する拡散アンプルからケミカルを供給することができる。メガネのストラップ１５３をナイロン布のチューブにすると、ＤＥＥＴ、硫酸ナトリウム、及びその他のケミカル入りのシリコーンゴム製チューブ型アンプルを挿入できる。添加する硫酸ナトリウムは脱水剤として３２℃以下でもＤＥＥＴの蒸気圧を高く保つ。
【０１１８】
３２℃以上の場合は、硫酸ナトリウムの脱水がＤＥＥＴの蒸気圧を下げ、膜への拡散を妨害する。このように、添加する硫酸ナトリウムにＤＥＥＴ供給の温度依存性を抑える効果がある。昆虫を誘引するおとりとして布の外側に黒と白と黄褐色のバンドが酸化チタン塗料で塗られる。
【０１１９】
図１０Ａは防虫剤入りアンプルがハットバンドに挿入された帽子である。帽子１７０とハットバンド１７１は酸化チタン塗料のパターン、又は赤外放射率が高いコーティングが付いている木綿である。拡大図で黒１７５、黄色又は白１７４，１７６、及び赤又はピンク色１７３，１７７からなる色パターンを示す。残りの部分１７８，１８０は黄褐色等の薄い色に染められるか、赤外放射率が低いコーティングが付けられる。ハットバンド１７２は触媒ヒーター又は体温で加熱されるので、ＤＥＥＴ等の香料を放ち、昆虫を誘引する熱標的となる。
【０１２０】
図１０Ｂは手袋のポケットに入っている触媒ヒーターである。この図では、ポケット１８１は手袋の裏面にある。塗料、又は染料、又はアンプルの表面を暴露する穴を開けることで円形パターン１８２，１８３，１８４を作る。パターンは中央の黒い点１８２，黄色の縁１８３，及び赤又はピンク色の外縁１８４である。手袋１８０はＧｏｒｅＴｅｘ（Ｒ）（Ｗ．  Ｌ．  Ｇｏｒｅ  ＆  Ａｓｓｏｃｉａｔｅｓ，  Ｉｎｃ．，５５５  Ｐａｐｅｒｍｉｌｌ  Ｒｏａｄ，  Ｎｅｗａｒｋ，  ＤＥ  １９７１１）等の撥水性素材で作られ、表面が黄褐色又は低赤外放射率で乾燥している。円形パターン１８２，１８３，１８４の表面は浅い血管を含む組織の赤外放射率を真似する素材でできる、又はその素材を含む。触媒ヒーターで手袋１８０をはめる手を温めるために使用できるが、手袋の断熱材の外側に設置することで蚊の熱標的にすることもできる。
【０１２１】
図１１はブーツ２０６や靴下の足首部分１９６に膜を使用する触媒ヒーターや防虫装置を設置できる位置を示す。触媒ヒーターはブーツの曲面に合わせた形である。ヒートパイプ２０７はヒーターの下部からブーツのつま先部分に熱を伝達する。ヒーターは白金１％を担持したアルミナビーズ及びＩｎｆｒａｇａｓ製触媒がコーティングされた岩棉入りの黄銅板製穴あき箱２０２である。燃料アンプル１９８はメタノールと香料と塩類を浸透させた松等の有孔材である。木製アンプル１９８は触媒入り金属製穴あき箱２０２の穴あき２０１スロット２００に挿入される。アンプルが入るスロットに黄銅製のカバー１９７が付く。ブーツに面する表面はブーツ２０６に熱エネルギーを放射させるために黒く塗られている。ヒーターの外面に断熱材となるＰＢＩ不織布等の耐熱布及び昆虫を誘引するパターン２０５，２０４，２０３をつけることができる。
【０１２２】
足首１９０，１９６に蚊を誘引する、又はセンサーを妨害するケミカル入りアンプルを挿入できるポケット１９１が付いている靴下又はアンクルバンド１９５がある。靴下１９５の外面に昆虫の誘引する黒い点１９４、白又は黄色の縁１９３及び赤又はピンク色の外縁１９２からなるパターンを付けることができる。靴下１９５のパターンの部分以外は薄い黄褐色のＧｏｒｅＴｅｘ（Ｒ）１９９等の熱放射率の低い素材でできる、又はその素材のコーティングが付けられる。誘引するパターン１９４，１９３，１９２は酸化チタン等、動物の肌と同様な赤外線を放射する物質で作製（またはコーティング）することができる。触媒ヒーター、防虫装置、ケミカル供給アンプルはヘルメット、メガネの縁、ゴーグル、メガネのストラップ、ベルト、ズボン、ドレス、マント、レインコート及び寝袋にも設置することができる。
【０１２３】
商品名／素材／住所
Ｓｐｅｃｉａｌｔｙ  Ｓｉｌｉｃｏｎｅ  Ｆａｂｒｉｃａｔｏｒｓ  Ｉｎｃ．
３０７７  Ｒｏｌｌｉｅ  Ｇａｔｅｓ  Ｄｒ．
Ｐａｓｏ  Ｒｏｂｌｅｓ，  ＣＡ    ９３４４６
【０１２４】
Ｅｎｇｌｅｈａｒｄ
Ｃｈｅｍｉｃａｌ  Ｃａｔａｌｙｓｔ  Ｇｒｏｕｐ
５５４  Ｅｎｇｌｅｈａｒｄ  Ｄｒ．
Ｓｅｎｅｃａ，  Ｓｏｕｔｈ  Ｃａｒｏｌｉｎａ，  ２９６７８
【０１２５】
Ｉｎｆｒａｇａｓ  Ｓ．  ｐ．  Ａ．
ｖｉａ  Ｌａｖｏｒｅｓｃｏ
１０−１００７２  Ｃａｓｅｌｌｅ
（ＴＯ）  Ｉｔａｌｙ
【０１２６】
ＤＡＩＳ−Ａｎａｌｙｔｉｃ  Ｃｏｒｐｏｒａｔｉｏｎ
１１５５２  Ｐｒｏｓｐｅｒｏｕｓ  Ｄｒ．
Ｏｄｅｓｓａ，  Ｆｌｏｒｉｄａ，  ３３５５６
【０１２７】
Ｐｅｒｆｌｕｏｒｏｓｕｌｆｏｎｉｃ  Ａｃｉｄ，  （Ｎａｆｉｏｎ（Ｒ）)
ＤｕＰｏｎｔ  Ｃｏｒｐｏｒａｔｉｏｎ．
Ａｌｃｏｈｏｌ  ｓｏｌｕｔｉｏｎｓ  ａｖａｉｌａｂｌｅ  ｔｈｒｏｕｇｈ：  Ｓｏｌｕｔｉｏｎｓ  Ｔｅｃｈｎｏｌｏｇｙ，  Ｉｎｃ．，  Ｐ．Ｏ．  Ｂｏｘ  １７１，  Ｍｅｎｄｅｎｈａｌｌ，  ＰＡ  １９３５７．
【０１２８】
Ｔｅｘｏｌｌｉｎｉ
２５７５  Ｅｌ  Ｐｒｅｓｉｄｉｏ  Ｓｔ．
Ｌｏｎｇ  Ｂｅａｃｈ，  ＣＡ  ９０８１０
【０１２９】
ＰＥＭＥＡＳ  ＧｍｂＨ，
Ｉｎｄｕｓｔｒｉｅｐａｒｋ  Ｈｏｃｈｓｔ，  Ｇ８６４
６５９２６  Ｆｒａｎｋｆｕｒｔ／Ｍａｉｎ，  Ｇｅｒｍａｎｙ
【０１３０】
Ｔｈｉｎｓｕｌａｔｅ（Ｒ）
３Ｍ  Ｃｏｒｐｏｒａｔｅ  Ｈｅａｄｑｕａｒｔｅｒｓ
３Ｍ  Ｃｅｎｔｅｒ
Ｓｔ．  Ｐａｕｌ，  ＭＮ  ５５１４４−１０００
【０１３１】
ＧｏｒｅＴｅｘ（Ｒ）
Ｗ．  Ｌ．  Ｇｏｒｅ  ＆  Ａｓｓｏｃｉａｔｅｓ，  Ｉｎｃ．
５５５  Ｐａｐｅｒｍｉｌｌ  Ｒｏａｄ
Ｎｅｗａｒｋ，  ＤＥ  １９７１１
【０１３２】
基本的な特徴は下記の点を含むがこれに限定されるものではない。
１．  選択的透過性膜、分子選択性膜、化学的透過性層を通して供給する、昆虫又は節足動物を誘引する、又は追い払う、又は妨害するケミカル。
２．  ケミカルを供給し、副生成物の水で希釈されることを防止する選択的透過性膜。
３．  ケミカルを供給するために異なる複数の膜アンプル、あるいは複数の膜を含むアンプルを使用すること。
４．  広範囲の温度・湿度にわたって拡散による安定的供給を保つために膜アンプルに含まれる混合物の水分を管理する添加ケミカル。
５．  昆虫を誘引する、又は追い払う、又は昆虫の行動を妨害するケミカルを含み、さらに、触媒ヒーター、又は燃料電池又は燃焼駆動装置の燃料を含む透過性膜又は材料。
６．  昆虫を誘引し、捕獲器又はおとりに導くパターン、色付き表面、異なる赤外線を放射する表面の使用。
７．  昆虫の獲物を真似する表面の使用。
８．  二酸化炭素放出で昆虫を誘引すること。
９．  水蒸気放出で昆虫を誘引すること。
１０．  ケミカル放出で昆虫を誘引すること。
１１．  黒・赤・黄色のパターンで昆虫を誘引すること。
１２．  音響の放射で昆虫を誘引する、又は驚かせる、又は追い払うこと。
１３．  光で昆虫を誘引する、又は驚かせる、又は昆虫を失明させること。
１４．  暖かい湿った表面で昆虫を誘引すること。
１５．  誘引、視的誘引、ケミカルセンサーの妨害、驚かせるシーケンスで昆虫に障害を与えること。
１６．  誘引、ケミカルセンサーの妨害、視的誘引のシーケンスで昆虫を捕獲すること。
１７．  システムを衣装に組み込むこと。
１８．  節足動物に対する妨害ケミカルが皮膚に接触しないように透過性アンプルに不透過性バリヤーを設けること。
１９．  使用者をヒーターの熱から守るため、又は使用者を寒さから守るために、ヒーターシステムの一方に断熱材又は超断熱材を組み込むこと。
２０．  システムを独立型装置として設計すること。
２１．  システムを交流電気装置の一部として設計すること。
２２．  ケミカル入りアンプルを使用時に開封する密封の外袋に包装すること。
２３．  拡散による供給速度を高めるために体温、又は燃焼の熱、又は触媒ヒーター、又は燃料電池、又は熱質量を利用すること。
２４．  加熱に伴う相変化により分解される燃料の添加剤が難燃剤・消火剤として機能すること。
２５．  珪藻土等の懸濁材で水和物を懸濁状態に保つこと。
２６．  水和物が水分を放ち、その水分が触媒に影響を与えること、又はヒーター内の反応を抑制することの複合作用を利用して自動温度調節システムを設けること。
２７．  水和物が水分を放ち、その水分が膜の透過性特性を変更すること、又は燃料の拡散を防ぐヒドロゲル等の他の化合物を生成すること。水分の放出で機械的機構が変化すること。
２８．  回転するメッシュ製ヘリックス、又は透過性ヘリックスで昆虫を捕獲すること。
【０１３３】
本発明は具体的な実例を参照しながら解説したが、図面と請求項に記載する発明の範囲から逸脱しないで種々変更が可能である。
【図面の簡単な説明】
【０１３４】
【図１】二個の防虫する香料入りアンプルを挿入できる目のパターン付き布製リストバンド。
【図２】ケミカル入り拡散型アンプル及び密封パック。
【図３】図３Ａ  扇風機を使用する蚊捕獲システムにおける加熱部分の上面図。図３Ｂ  扇風機を使用する蚊捕獲システムにおける垂直断面図。
【図４】図４Ａ  回転するらせん状メッシュ製の捕獲器における加熱部分の上面図。図４Ｂ  回転するらせん状メッシュ製の捕獲器における垂直断面図。
【図５】人間の手首に装着されたリストバンド及び拡散型アンプル。
【図６】誘引する膜を使用する触媒ヒーターの分解図。
【図７】図７Ａ  触媒ヒーター及び光電池電源付き高電圧放電式蚊捕獲器の断面図。図７Ｂ  触媒ヒーター及び光電池電源付き高電圧放電式蚊捕獲器の下部の断面図。図７Ｃ  光電池、音響変換器及び捕獲ジャー付き高電圧放電式蚊捕獲器の外観図。
【図８】上半身の正面図：ヒーター、防虫、昆虫を乱す、又は昆虫を誘引する装置を衣服に組み込むことができる箇所。
【図９】上半身の背面図：ヒーター、防虫、昆虫を乱す、又は昆虫を誘引する装置を衣服に組み込むことができる箇所。
【図１０】図１０Ａ  防虫、又は昆虫を乱す、又は昆虫を誘引するバンド付き帽子及びバンドの色パターンの拡大図。図１０Ｂ  防虫剤アンプル及び視的おとり付き手袋。
【図１１】靴のヒーター及びアンクルバンド。
【符号の説明】
【０１３５】
図１．二個の防虫する香料入りアンプルを挿入できる目のパターン付き布製リストバンド。
１．  内部ポケット付き、布製のリストバンド、又はアンクルバンド、又はネックバンド、又はヘッドバンド、又はハットバンド。  
２．  薄い色（灰色、白、銀色、黄褐色）の布。  
３．  赤、赤紫色、又はピンク色の布。  
４．  白、又は黄色の布。  
５．  黒の布。  
６．  布製バンドのポケットのスリット入り口。  
７．  ＤＥＥＴ及び香料入りシリコーンゴム製アンプルの外膜。  
８．  比較的に蒸発しやすい流体を囲む二つ目のシリコーンゴム製膜とアンプル。  
９．  内壁のシリコーンゴム製膜。  
１０．  アンプルの中のＤＥＥＴ液。  
１１．  周囲のスペーサ、又は内部の多孔質材。  
１２．  ウィック材と安定剤の結晶。  
１３．  アルミホイルのシート。  
１４．  安定化ケミカル及びウィック材。  
２８．  二つ目のアンプルの比較的に蒸発しやすい流体（アセトン、メタノール、エタノール、葉酸。
【０１３６】
図２．ケミカル入り拡散型アンプル及び密封パック。  
１５．  アンプルの不透過性ポーチの熱融着した縁。  
１６．  アンプルの不透過性の外部ポーチ。  
１７．  シリコーンゴム、又はウレタンゴム製ポーチの透過性シール。  
１８．  選択的透過性アンプル。  
１９．  アンプル中のＤＥＥＴ及び懸濁材又は懸濁マトリックス。  
２０．  不透過性の外部ポーチの切り取られた半分。  
２１．  不透過性の外部ポーチの切り開いた状態。  
２２．  不透過性の外部ポーチの切り開いた状態。  
２４．  不透過性の裏面膜。  
２５．  硫酸ナトリウム水和物等の結晶性化学物質。  
２６．  裏面のアルミホイル。  
２８０．  外膜。  
２８１．  枠材。  
２８２．  含水塩。  
２８３．  ＤＥＥＴ及び香料液。  
２８４．  不透過性の裏面膜。  
２８５．  裏面。
【０１３７】
図３Ａ．扇風機を使用する蚊捕獲システムにおける加熱部分の上面図。  
３０．  中央の黒い加熱ディスク。  
３１．  ディスクの白、又は黄色の縁。  
３２．  流路のそばの赤、又はピンク色の部分。  
３３．  薄い色（黄褐色、又は白、又は茶色）の外部流路及びケース。  
６７．  二酸化炭素及び香りの排出口。  
６８．  燃料電池用の吸気路。
【０１３８】
図３Ｂ．扇風機を使用する蚊捕獲システムにおける垂直断面図。  
３４．  中央の黒い加熱ディスク。  
３５．  ディスクの白、又は黄色の縁。  
３６．  メタノール燃料。  
３７．  硫酸ナトリウム水和物等の水和物。  
３８．  選択的透過性膜。  
３９．  触媒のビーズと繊維。  
４０．  燃料電池を扇風機につなぐ陰極。  
４１．  燃料電池アレイの陰極、又は熱電対列。  
４２．  燃料電池アレイの電解質。  
４３．  燃料電池アレイの陽極。  
４４．  再循環空気。  
４５．  扇風機からの外側の空気の流れ。  
４６．  扇風機からの空気の流れ。  
４７．  扇風機のモーター。  
４８．  扇風機の羽根。  
４９．  昆虫捕りのメッシュ性フィルター。  
５０．  捕獲された昆虫。  
５１．  燃料用のメッシュ性空気フィルター。  
５２．  扇風機からの空気の流れ。  
５３．  吸気口からの空気の流れ。  
５４．  触媒ヒーターに空気を供給するための孔。  
５５．  燃料電池の出力側の陽極。  
５６．  再循環空気。  
５７．  飛んでいる昆虫。  
５８．  燃料電池アレイの電気接点孔。  
５９．  燃料電池用空気マニフォールド。  
６０．  白金コーティング付ケイ酸アルミナ繊維。  
６１．  綿繊維又は懸濁マトリックス。  
６２．  捕獲器の入り口。  
６３．  吸気口からの空気の流れ。  
６４．  燃料電池への外気供給及び吸気路。  
６５．  二酸化炭素及び香りの流れ。  
６６．  二酸化炭素及び香りの排出口。
【０１３９】
図４Ａ．回転するらせん状メッシュ製の捕獲器における加熱部分の上面図。  
７０．  黒いぶちのある加熱燃料タンク。  
７１．  固定標的と回転するヘリックスとの間の隙間。  
７２．  メッシュ製ヘリックス。  
７３．  中央の支え及びのぞきガード。  
７４．  回転するヘリックスの赤、又はピンク色の前縁。  
７５．  回転するヘリックスの外ハブ。  
７６．  回転するヘリックスのハブと外部ケースとの間の空隙。  
７７．  黄褐色の外部ケース。
【０１４０】
図４Ｂ．回転するらせん状メッシュ製の捕獲器における垂直断面図。  
７８．  中央の支え。  
７９．  選択的透過性燃料アンプル。  
８０．  メタノール燃料。  
８１．  硫酸ナトリウム水和物等の水和塩。  
８２．  アルミナ担持の触媒ビーズ。  
８３．  らせん状メッシュスクリーン。  
８４．  触媒ヒーターチューブの細孔。  
８５．  燃料電池の陽極。  
８６．  多孔性電解質。  
８７．  燃料電池の空気側陰極。  
８８．  燃料電池の陰極に空気を供給するベント。  
８９．  外部、又はヘリックスの円筒。  
９０．  捕獲器から空気を抜くための細孔。  
９１．  電動機。  
９２．  電動機に接続される燃料電池の陽極側配線。  
９３．  電動機に接続される燃料電池の陰極側配線。  
９４．  燃料電池アレイのビア。  
９５．  燃料電池アレイの陰極。  
９６．  外部ケース（黄褐色）。  
９７．  昆虫の死体を粉砕する部分。  
９８．  浸透性の中央の点。  
９９．  出口。
【０１４１】
図５．人間の手首に装着されたリストバンド及び拡散型アンプル。  
１０１．  人間の腕。  
１０２．  リストバンドの赤、又はピンク色の部分。  
１０３．  リストバンドの黄色、又は白の部分。  
１０４．  リストバンドの黒い部分。  
１０５．  リストバンドに挿入されたアンプルがケミカルを放つ部分。  
１０６．  内部ポケット又は空洞付き布製リストバンド。  
１０７．  人間の手。  
１０８．  ケミカルを放出するアンプル。  
１０９．  ケミカルを透過させる膜。  
１１０．  アンプルの密封された縁。  
１１１．  アンプルの中のケミカル。  
１１２．  アンプルのケミカルに対して不透過性裏の面。  
１１３．  不透過性膜をアンプルの外部の透過性膜に接続した部分。
【０１４２】
図６．誘引する膜を使用する触媒ヒーターの分解図。  
１２０．  不透過性裏の面。  
１２１．  枠。  
１２２．  メタノールを透過させる膜。  
１２３．  触媒の不織布とビーズが入っているアルミニウム製穴あき箱。  
１２４．  触媒入り金属性穴あき箱の通気孔。  
１２５．  黄褐色又は茶色の布。  
１２６．  赤又はピンク色の布。  
１２７．  黄色又は白の布。  
１２８．  布の黒い点。  
１２９．  ウイック用布。  
１３０．  繊維の端。  
１３１．  メタノール、乳酸、オクタノール、ＤＥＥＴ、硫酸ナトリウム水和物等の燃料とケミカル。  
１３２．  裏の断熱面。  
１３３．  香料アンプルの外部の透過性膜。  
１３４．  香料アンプルの枠。  
１３５．  香料アンプルの裏の不透過性面。  
【０１４３】
図７Ａ．触媒ヒーター及び光電池電源付き高電圧放電式蚊捕獲器の断面図。  
２２０．  光電池。  
２２１．  太陽電池の出力。  
２２２．  上部の円錐型部分。  
２２３．  バッテリー。  
２２４．  ＤＣ／ＤＣ又はＤＣ／ＡＣの変圧器及び制御システム。  
２２５．  高電圧線。  
２２６．  ヒーターの箱形ケース。  
２２７．  燃料と香料のアンプル。  
２２８．  メタノール、香料、塩類等の流体燃料。  
２２９．  硫酸ナトリウム水和物。  
２３０．  透過性膜。  
２３１．  白金触媒を担持したアルミナビーズ。  
２３２．  白金コーティング付ケイ酸アルミナ繊維。  
２３３．  誘電性黄褐色の外部ケース。  
２３４．  高電圧格子。  
２３５．  触媒燃焼装置の穴あき箱。  
２３６．  バッテリー、ＤＣ変圧器、光電池の接地接続線。  
２４４．  ダイオード。  
２４５．  電子制御弁。  
２４６．  レーザー光、閃光電球、又は発光ダイオード。  
２４７．  ガードスクリーン。  
２４８．  ガードスクリーン。  
２５０．  加圧容器。  
【０１４４】
図７Ｂ．触媒ヒーター及び光電池電源付き高電圧放電式蚊捕獲器の下部の断面図。  
２３７．  高電圧線。  
２３８．  黄褐色の外部ケース。  
２３９．  ヒーターの赤の酸化チタンコーティング付表面。  
２４０．  ヒーターの白又は黄色の酸化チタンコーティング付表面。  
２４１．  ヒーターの金属性穴あき面。  
２４２．  湿った目を真似するコーティング付の中央の黒い点。  
２４３．  光電池の底面。
【０１４５】
図７Ｃ．光電池、音響変換器及び捕獲ジャー付き高電圧放電式蚊捕獲器の外観図。  
２６０．  掛けフック。  
２６１．  円錐形のカバー。  
２６２．  蚊捕獲器及び香り発生器。  
２６３．  音響発生器及び感知器。  
２６４．  保護線。  
２６５．  透明のプラスチック製、又はガラス製回収ジャー。  
２６６．  捕獲器の底にたまる蚊の死体。  
２６７．  捕獲器に誘引される蚊。  
２６８．  光起電性アレイ。  
２６９．  回収ジャーの底の排水孔。
【０１４６】
図８．上半身の正面図：ヒーター、防虫、昆虫を乱す、又は昆虫を誘引する装置を衣服に組み込むことができる箇所。  
１４０．  帽子。  
１４１．  ハットバンド。  
１４２．  帽子の首周りの生地。  
１４３．  眼鏡、又はゴーグル。  
１４４．  首周りの防虫バンド。  
１４５．  シャツ、又はジャケット。  
１４６．  ジャケットの中の胴体ヒーター。  
１４７．  ポケット。  
１４８．  リストバンド。  
１４９．  手。  
１５０．  腕章。  
１６５．  肩の誘引装置・防虫装置。
【０１４７】
図９．上半身の背面図：ヒーター、防虫、昆虫を乱す、又は昆虫を誘引する装置を衣服に組み込むことができる箇所。  
１５１．  帽子。  
１５２．  ハットバンド。  
１５３．  眼鏡、又はゴーグル用ストラップ。  
１５４．  帽子の首周り生地。  
１５５．  襟のヒーター、又はバンド。  
１５６．  上背のヒーター。  
１５７．  シャツ、又はジャケット。  
１５８．  腰のヒーター。  
１５９．  ジャケット。
【０１４８】
図１０Ａ．防虫、又は昆虫を乱す、又は昆虫を誘引するバンド付き帽子及びバンドの色パターンの拡大図。  
１７０．  帽子。  
１７１．  ハットバンド。  
１７２．  バンドの中にあるアンプル。  
１７３．  赤、又はピンク色に染められたバンド。  
１７４．  黄色、又は白に染められたバンド。  
１７５．  黒に染められたバンド。  
１７６．  黄色、又は白に染められたバンド。  
１７７．  赤、又はピンク色に染められたバンド。  
１７８．  黄褐色に染められた帽子の生地。
【０１４９】
図１０Ｂ．防虫剤アンプル及び視的おとり付き手袋。  
１８０．  黄褐色の手袋。  
１８１．  手袋のポケットにあるアンプル、又はヒーター。  
１８２．  布の黒に染められた部分。  
１８３．  黄色、又は白、又は銀色に染められた生地。  
１８４．  赤、又はピンク色に染められた生地。  
【０１５０】
図１１．靴のヒーター及びアンクルバンド。  
１９０．  足。  
１９１．  アンクルバンド、又は靴下の中にあるアンプル。  
１９２．  赤、又はピンク色に染められた部分。  
１９３．  バンドの黄色、又は銀色、又は白の部分。  
１９４．  バンドの黒に染められた部分。  
１９５．  黄褐色に染められたアンクルバンド、又は靴下。  
１９６．  足と靴下。  
１９７．  ヒーターカバーの扉。  
１９８．  メタノール燃料入り木製アンプル。  
１９９．  黄褐色の触媒ヒーター。  
２００．  ヒーターボックスの溝。  
２０１．  内部の金属製開口板。  
２０２．  触媒を含むメッシュの孔。  
２０３．  赤、又はピンク色の部分。  
２０４．  黄色、銀色、又は白の部分。  
２０５．  黒い部分。  
２０６．  ブーツ。  
２０７．  ヒートパイプ。
【図１】
2008539790.tif 000003
【図２】
2008539790.tif 000004
【図３Ａ】
2008539790.tif 000005
【図３Ｂ】
2008539790.tif 000006
【図４Ａ】
2008539790.tif 000007
【図４Ｂ】
2008539790.tif 000008
【図５】
2008539790.tif 000009
【図６】
2008539790.tif 000010
【図７Ａ】
2008539790.tif 000011
【図７Ｂ】
2008539790.tif 000012
【図７Ｃ】
2008539790.tif 000013
【図８】
2008539790.tif 000014
【図９】
2008539790.tif 000015
【図１０Ａ】
2008539790.tif 000016
【図１０Ｂ】
2008539790.tif 000017
【図１１】
2008539790.tif 000018
【国際調査報告】
2008539790.tif 000019
2008539790.tif 000020